(57)【特許請求の範囲】
【請求項１】
ストロボ発光が行われる時間間隔を測定する測定手段と、
前記ストロボの発光強度を示すストロボガイドナンバーを検出するガイドナンバー検出手段と、
前記時間間隔が第２の所定値より小さい場合に前記時間間隔に関する値を積算していく積算手段と、
前記積算手段によって積算された値が第１の所定値を越えた場合にレリーズ動作を制限する動作制御手段と、
前記ガイドナンバー検出手段によって検出されたストロボガイドナンバーが大きいほど前記第１の所定値を小さい値に設定するパラメータ設定手段とを有することを特徴とするカメラ。
【請求項２】
ストロボ発光が行われる時間間隔を測定する測定手段と、
前記ストロボの発光強度を示すストロボガイドナンバーを検出するガイドナンバー検出手段と、
前記時間間隔が第２の所定値より小さい場合に前記時間間隔に関する値を積算していく積算手段と、
前記積算手段によって積算された値が第１の所定値を越えた場合にレリーズ動作を制限する動作制御手段と、
前記ガイドナンバー検出手段によって検出されたストロボガイドナンバーが大きいほど前記第２の所定値を大きい値に設定するパラメータ設定手段とを有することを特徴とするカメラ。
【請求項３】
ストロボ発光手段と、
前記ストロボ発光手段による発光が行われる時間間隔を測定する測定手段と、
前記ストロボ発光手段の発光強度を示すストロボガイドナンバーを検出するガイドナンバー検出手段と、
前記時間間隔が第２の所定値より小さい場合に前記時間間隔に関する値を積算していく積算手段と、
前記積算手段によって積算された値が第１の所定値を越えた場合に、接続されているカメラに対してレリーズ動作を制限する信号を送信する送信手段と、
前記ガイドナンバー検出手段によって検出されたストロボガイドナンバーが大きいほど前記第１の所定値を小さい値に設定するパラメータ設定手段とを有することを特徴とするストロボ装置。
【請求項４】
ストロボ発光手段と、
前記ストロボ発光手段による発光が行われる時間間隔を測定する測定手段と、
前記ストロボ発光手段の発光強度を示すストロボガイドナンバーを検出するガイドナンバー検出手段と、
前記時間間隔が第２の所定値より小さい場合に前記時間間隔に関する値を積算していく積算手段と、
前記積算手段によって積算された値が第１の所定値を越えた場合に、接続されているカメラに対してレリーズ動作を制限する信号を送信する送信手段と、
前記ガイドナンバー検出手段によって検出されたストロボガイドナンバーが大きいほど前記第２の所定値を大きい値に設定するパラメータ設定手段とを有することを特徴とするストロボ装置。
【請求項５】
カメラと該カメラに接続されたストロボ装置とを有するカメラシステムであって、
ストロボ発光が行われる時間間隔を測定する測定手段と、
前記ストロボ装置の発光強度を示すストロボガイドナンバーを検出するガイドナンバー検出手段と、
前記時間間隔が第２の所定値より小さい場合に前記時間間隔に関する値を積算していく積算手段と、
前記積算手段によって積算された値が第１の所定値を越えた場合にレリーズ動作を制限する動作制御手段と、
前記ガイドナンバー検出手段によって検出されたストロボガイドナンバーが大きいほど前記第１の所定値を小さい値に設定するパラメータ設定手段とを有することを特徴とするカメラシステム。
【請求項６】
カメラと該カメラに接続されたストロボ装置とを有するカメラシステムであって、
ストロボ発光が行われる時間間隔を測定する測定手段と、
前記ストロボ装置の発光強度を示すストロボガイドナンバーを検出するガイドナンバー検出手段と、
前記時間間隔が第２の所定値より小さい場合に前記時間間隔に関する値を積算していく積算手段と、
前記積算手段によって積算された値が第１の所定値を越えた場合にレリーズ動作を制限する動作制御手段と、
前記ガイドナンバー検出手段によって検出されたストロボガイドナンバーが大きいほど前記第２の所定値を大きい値に設定するパラメータ設定手段とを有することを特徴とするカメラシステム。
【発明の詳細な説明】
【０００１】
【発明の属する技術分野】
本発明は、ストロボ発光の制御を行う手段を有するカメラ、ストロボ装置及びカメラシステムの改良に関するものである。
【０００２】
【従来の技術】
従来、撮影に先立って暗い場合、あるいは、写したい被写体が逆光により暗くなってしまう場合、あるいは、撮影モードによって設定した場合等にストロボ撮影に供されるストロボ装置、又はこの種のストロボ装置を内蔵したカメラが広く使われている。また、より使い勝手を良くするために、ストロボの充電時間を早くして、撮影のレリーズタイムラグを短くすることを可能にしたストロボ装置又はストロボ装置を内蔵したカメラも広く使われている。
【０００３】
一方、近年携帯性を考慮し、かなり小型のストロボ装置又はカメラも提案されてきている。そして、そこに装備されたストロボ発光部には、発光効率をアップさせるために光を集光させる為のライトガイド構造を持つものや、Ｘｅ（キセノン）管径を細くして発光効率をアップさせたり、反射笠をより小型にしているものも提案されてきている。
【０００４】
これらのストロボ装置又はカメラは、非常に小型であるにもかかわらず、従来の機能をほとんどすべて兼ね備え、すばやく充電して所定の発光光量を適切な配光にて発光させることができ、非常に便利である。
【０００５】
しかしながら、これらのストロボ装置又はカメラにおいて、頻繁にストロボ発光あるいはストロボ撮影を行った場合に、ストロボ部品の発熱等によりＸｅ管が破裂，変色，劣化したり、ライトガイド部やフレネルレンズ等の集光光学系が変色，溶解したり、発振トランス等のストロボ部品が発熱，発煙等を起こしてしまう事があった。さらに、これらの部品の発熱等のために外部温度も上昇し、使用者に不快感を与えたり、外装の変形，変色等を発生させてしまう事があった。これらの問題は、ストロボの充電時間が早くなってくるとより素早い連写が可能になり、又より小型化してくると放熱するスペースがなくなったり、部品間の距離がとれず、より影響を受け易くなってしまっていた。
【０００６】
これらの対策の為に、特開昭６０−２１８８００号公報では、ストロボ装置の発熱源の温度を検出し、所定温度以上になるとストロボ充電禁止，発光禁止にするという方法が開示されている。
【０００７】
また、特公平１−２２７１７号公報では、電源を投入すると所定値まで充電するように常に充電動作を行う内視鏡等のストロボ装置であって、ある積算値に対してストロボ充電によって加算動作し、また時間経過に応じて減算が行われ、これが所定値より超えた場合にはストロボ充電動作を禁止するという方法が開示されている。
【０００８】
さらに、メインスイッチがオンの状態で所定回数以上ストロボ撮影が行われると、一度メインスイッチをオフ状態にする（カメラを沈胴状態にする）というカメラも提案されている。
【０００９】
【発明が解決しようとする課題】
しかしながら、上記特開昭６０−２１８８００号においては、ストロボ装置の発熱源の温度を検出するものであるので、温度計をその発熱源の近くに配置しなければならず、小型化の妨げとなってしまっていた。また、正確に温度を測定しようとすればする程、発熱源の近くに配置しなければならず、高電圧部のリーク等の問題も発生していた。さらに、発熱源が複数ある場合には、それぞれの位置に設置しなければならず、スペース上も大変であると共に、その処理回路の準備、それにかかるコストもかなり割高なものとなってしまっていた。更に、実際の発熱量と実際の部品の溶解とが正確に対応できない場合もあった。更に又、所定温度以上になるとストロボ充電禁止，発光禁止にするが、その際に撮影動作が行われた場合にはどうなるかが考慮されていなかった。
【００１０】
また、特公平１−２２７１７号公報においては、電源を投入すると所定値まで充電するように常に充電動作を行う内視鏡等のストロボ装置において、ある積算値に対してストロボ充電によって加算動作し、また時間経過に応じて減算が行われ、これが所定値より超えた場合にはストロボ充電動作を禁止するという方法をとっている為に、常に上記動作が行われ、電流が消費されつづけるという問題があった。また、ストロボ充電のみを禁止しているために、ストロボ充電未完了状態でストロボ発光信号が発生した場合については考慮されていなかった。ストロボ充電禁止の際にストロボモードを変えて撮影がなされた場合についても、同様に考慮されていなかった。
【００１１】
また、メインスイッチがオンの状態で所定回数以上ストロボ撮影が行われると、一度メインスイッチをオフ状態にする（カメラを沈胴状態にする）というカメラにおいては、ストロボ撮影間隔が短い場合でも長い場合でも一様に所定回数以上ストロボ撮影を行うと鏡筒沈胴状態になってしまうため、必要でないのに沈胴状態になる場合もあり、不便であった。また、撮影者はなぜ急に沈胴状態になったのか判らずに戸惑う場合もあった。
【００１２】
（発明の目的）
本発明の目的は、大型化、高コスト化を招くことなく、電流消費を極力押さえながら、ストロボ発光手段の発熱に起因する、該ストロボ発光手段及びその周辺部材の破損，溶解、さらには外装部材の変形，変色を防止し、かつ、撮影者に必要以上の不快な操作を強いることの無いカメラ、ストロボ装置及びカメラシステムを提供しようとするものである。
【００１３】
【課題を解決するための手段】
上記目的を達成するために、本発明にかかるカメラは、ストロボ発光が行われる時間間隔を測定する測定手段と、前記ストロボの発光強度を示すストロボガイドナンバーを検出するガイドナンバー検出手段と、前記時間間隔が第２の所定値より小さい場合に前記時間間隔に関する値を積算していく積算手段と、前記積算手段によって積算された値が第１の所定値を越えた場合にレリーズ動作を制限する動作制御手段と、前記ガイドナンバー検出手段によって検出されたストロボガイドナンバーが大きいほど前記第１の所定値を小さい値に設定するパラメータ設定手段とを有することを特徴とする。
また、上記目的を達成するために、本発明にかかるカメラは、ストロボ発光が行われる時間間隔を測定する測定手段と、前記ストロボの発光強度を示すストロボガイドナンバーを検出するガイドナンバー検出手段と、前記時間間隔が第２の所定値より小さい場合に前記時間間隔に関する値を積算していく積算手段と、前記積算手段によって積算された値が第１の所定値を越えた場合にレリーズ動作を制限する動作制御手段と、前記ガイドナンバー検出手段によって検出されたストロボガイドナンバーが大きいほど前記第２の所定値を大きい値に設定するパラメータ設定手段とを有することを特徴とする。
【００２１】
【発明の実施の形態】
以下、本発明を図示の実施の形態に基づいて詳細に説明する。
【００２２】
図１は本発明の実施の各形態に係るカメラの主要部分の回路構成を示すブロック図であり、同図において、１はカメラ又はストロボ装置の周囲温度を検出する温度検出回路、２はレリーズロック動作、発光禁止動作や、警告表示を行ったり行わなかったりの設定を行う為の設定装置、３は前記警告表示等を行う表示装置、４はストロボの発光間隔を計測するあるいは前回の発光時刻と今回の発光時刻を測定しその間隔を演算する時間測定回路、５は後述する所定条件での値を積算する積算回路、６はカメラあるいはストロボ装置を制御する制御回路、７はカメラ又はストロボ装置の電源電圧を検出する電源電圧検出回路、８は撮影動作を実行する撮影装置、９はストロボＧNo（ガイドナンバー）を検出及び設定するストロボＧNo設定・検出回路、１０はストロボ充電回路、１１はストロボ発光回路、１２はストロボ発光禁止回路である。
【００２３】
上記構成において、時間測定回路４、積算回路５及び制御回路６は、ＣＰＵにより構成して時間測定，演算，制御を行うようにしたものであっても良い。また本発明の実施の各形態では、図１の構成要素すべてを含んだカメラを想定しているが、この一部の構成要素で構成されているカメラでも良いし、撮影装置８を除いたすべての構成要素を含んだストロボ装置であっても良いし、撮影装置８の他に、温度検出回路１や設定装置２，表示装置３，電源電圧検出回路７等はカメラ側にあるストロボ装置であっても良いし、またこれらの構成要素の一部のみで構成されたストロボ装置であっても良い。なお、ストロボ装置においては、上記各構成要素とはコネクタにてカメラ側と接続されてあっても、カメラ側の制御回路と接続され、そのカメラ側の制御回路と各構成要素が接続されていても良い。
【００２４】
（実施の第１の形態）
次に、図１の様に構成されたカメラにおいて、本発明の実施の第１の形態に係る主要部分の動作について、図２のフローチャートにしたがって説明する。
【００２５】
まず制御回路６は、撮影者がレリーズ動作を行ったか否かを不図示のレリーズスイッチ等にて検出する（＃１０１）。ここで、レリーズ動作が行われたと判定すると、制御回路６は撮影装置８に指令を送り、撮影の為の電圧チェック，露出，測距，ストロボ充電，ピント合わせ等の撮影準備動作を行う（＃１０２）。この一連の撮影準備動作にて、制御回路６はストロボ発光を行う撮影であるかそうでないかの判定を行う（＃１０３）。ストロボ撮影の場合には、時間測定回路４あるいは全体としてのＣＰＵにて判定した時の現在時刻Ｐ２を読み取り、前回のストロボ発光時刻Ｐ１と今回のストロボ発光時刻Ｐ２（ほぼストロボ発光時刻に相当）の差を演算し、ストロボ発光間隔を求める（＃１０４）。そして、この値を予め定められた所定時間Ｔ［１］と比較し（＃１０５）、このＴ［１］よりもストロボ発光間隔が短い場合には、積算によって熱が溜まっていくので積算回路５の積算値Ｃに所定値Ｎ［２］を積算する（＃１０６）。なお、ステップ＃１０５にてＴ［１］よりも発光間隔の方が大きい場合には、この積算動作は行わない。
【００２６】
その後、現在の積算値Ｃと予め定められた積算値のしきい値Ｃ［３］との比較を行う（＃１０７）。ここで現在の積算値Ｃが予め定められたしきい値Ｃ［３］よりも大きいと判定した場合には、制御回路６はタイマを作動させ、カウントを開始させる（＃１０８）。そして、レリーズスイッチがオフになったか（＃１０９）もしくはタイマが一定時間Ｔ［４］に達したか（＃１１０）を判定する。ステップ＃１０９にてレリーズスイッチがオフになった場合には、すなわち放熱の待ち時間内にレリーズスイッチが離された場合には、その後の動作を行わずに終了する。レリーズスイッチが押されたまま所定時間が経過した場合には、シャッタ開制御等のストロボ発光前までの撮影動作１を実行し（＃１１１）、次にストロボ発光を行った場合には（＃１１２）、その時の時刻をＰ１に記憶し（＃１１３）、その後シャッタ制御，デート写し込み，一駒巻き上げ等の撮影動作２を実行する（＃１１４）。
【００２７】
以上の実施の第１の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合にはレリーズをロックするようにしているので（一定時間Ｔ［４］が経過するまで、＃１０９→＃１１０→＃１０９を繰り返すようにしているので）、ストロボ関連部品の破損，溶解を招くことなく、外部温度もそれほど上昇せず、又外装に変形，変色等を生じることも無い。
【００２８】
また、撮影間隔が一定時間Ｔ［４］以上開けば、これらのレリーズロックがかからなくなるので、複数枚数以上の連写の場合以外にはこのような状態は起りにくく、必要以上に撮影者に不快な思いをさせなくても済む事になる。
【００２９】
さらに、ストロボ発光間隔を測定するのに前回発光した時刻Ｐ１と今回発光する時刻Ｐ２のみを測定するので、その間の動作は消費電流の非常に少ない時計動作のみで済むため、大幅な電力消費を防ぐ事ができる。
【００３０】
なお、本発明はこのフローチャートに限定されるものではない。この実施の形態では、上記の制御をレリーズ動作および撮影準備動作に連動して実施しているが、これを実際のシャッタ制御前に行っても同様の効果を得る事ができる。また、発光間隔を測定するのに前回と今回の発光時刻の差を演算したが、これを一連の低消費電力専用タイマを用いても同様の効果を得ることができる。また、フローチャート中の各パラメータＴ［１］，Ｎ［２］，Ｃ［３］，Ｔ［４］等は、制御回路６内の固定値でも、メモリ回路内に外部より書き込まれた値でも同様の効果を得ることができる。さらに、ステップ＃１０８〜＃１１０で一定時間待った後にすぐに撮影動作に移行したが、ここで再度レリーズスイッチが全押しされたか否かの判定をし、全押しされた場合に撮影動作を行っても同様の効果を得ることができる。
【００３１】
（実施の第２の形態）
次に、本発明の実施の第２の形態に係るカメラの主要部分の動作について、図３のフローチャートにしたがって説明する。この実施の第２の形態は、しきい値Ｃ［３］に応じてレリーズロック時間である一定時間Ｔ［４］を変えるようにして上記と同様の効果を得ようとするものである。
【００３２】
まず制御回路６は、撮影者がレリーズ動作を行ったか否かを不図示のレリーズスイッチ等にて検出する（＃２０１）。ここで、レリーズ動作が行われたと判定すると、制御回路６は撮影装置８に指令を送り、撮影の為の電圧チェック，露出，ストロボ充電，ピント合わせ等の撮影準備動作を行う（＃２０２）。この一連の撮影準備動作にて、制御回路６はストロボ発光を行う撮影であるかそうでないかの判定を行う（＃２０３）。ストロボ撮影の場合には、時間測定回路４あるいは全体としてのＣＰＵにて判定した時の現在時刻Ｐ２を読み取り（＃２０４）、前回のストロボ発光時刻Ｐ１と今回のストロボ発光時刻Ｐ２（ほぼストロボ発光時刻に相当）の差を演算し、ストロボ発光間隔を求める（＃２０４）。この値を予め定められた所定時間Ｔ［１］と比較し（＃２０５）、このＴ［１］よりもストロボ発光間隔が短い場合には、積算によって熱が溜まっていくので積算回路５のしきい値Ｃに所定量Ｎ［２］を積算する（＃２０６）。なお、上記ステップ＃２０５にてＴ［１］よりも発光間隔の方が大きい場合には、この積算動作は行わない。その後、まず現在の積算値Ｃと予め定められたしきい値Ｃ［３］1 との比較を行う（＃２０７）。ここで現在の積算値Ｃが予め定められたしきい値Ｃ［３］1 よりも小さい場合には、ステップ＃２０８〜＃２１８の処理を行わずにステップ＃２１９の撮影動作を行う。
【００３３】
現在の積算値Ｃが予め定められたしきい値Ｃ［３］1 よりも大きいと判定した場合には、次に現在の積算値Ｃと予め定められたしきい値Ｃ［３］2 との比較を行う（＃２０８）。ここでこの積算値Ｃが予め定められたしきい値Ｃ［３］2 よりも小さい場合には、
Ｃ［３］2 ＞Ｃ＞Ｃ［３］1
であるので、このしきい値Ｃ［３］1 に対応した一定時間Ｔ［４］1 にてタイマをスタートさせる（＃２１０）。そして、レリーズスイッチがオフになったか（＃２１１）あるいはタイマが一定時間Ｔ［４］1 に達したか（＃２１２）を判定する。ステップ＃２１１にてレリーズスイッチがオフになった場合には、すなわち放熱の待ち時間内にレリーズスイッチが離された場合には、その後の動作を行わずに終了する。ずっとレリーズスイッチがオンしている場合（＃２１２）には、一定時間Ｔ［４］1 が経過するまでレリーズロック状態になる。
【００３４】
一方、上記ステップ＃２０８にて現在の積算値Ｃが予め定められたしきい値Ｃ［３］2 よりも大きいと判定した場合には、同様に現在の積算値Ｃと予め定められたしきい値Ｃ［３］3 との比較を行って行き、同様の処理を行う。以下この動作を繰り返し、現在の積算値Ｃが予め定められたしきい値Ｃ［３］n-1 よりも大きく、予め定められたしきい値Ｃ［３］n より小さいと判定した場合には（＃２０９）、このしきい値Ｃ［３］n-1 に対応した所定時間Ｔ[ ４］n-1 にてタイマをスタートさせる（＃２１３）。そして、レリーズスイッチがオフになったか（＃２１４）あるいはタイマが一定時間Ｔ［４］n-1 に達したか（＃２１５）を判定する。ステップ＃２１４にてレリーズスイッチがオフになった場合には、すなわち放熱の待ち時間内にレリーズスイッチが離された場合には、その後の動作を行わずに終了する。ずっとレリーズスイッチがオンしている場合（＃２１５）には、一定時間Ｔ［４］n-1 が経過するまでレリーズロック状態になる。
【００３５】
ステップ＃２０９にて現在の積算値Ｃが予め定められたしきい値Ｃ［３］n よりも大きいと判定した場合には、このしきい値Ｃ［３］n に対応した一定時間Ｔ［４］n にてタイマをスタートさせる（＃２１６）。そして、レリーズスイッチがオフになったか（＃２１７）、あるいはタイマが一定時間Ｔ［４］n （Ｔ［４］n ＞……＞Ｔ［４］1 ）に達したか（＃２１８）を判定する。ステップ＃２１７にてレリーズスイッチがオフになった場合には、すなわち放熱の待ち時間内にレリーズスイッチが離された場合には、その後の動作を行わずに終了する。ずっとレリーズスイッチがオンしている場合（＃２１７）には、一定時間Ｔ［４］n が経過するまでレリーズロック状態になる。
【００３６】
上記ステップ＃２１２，＃２１５，＃２１８にてレリーズスイッチが押されたまま所定時間が経過した場合には、シャッタ制御，ストロボ発光，一駒巻き上げ等の一連の撮影動作を実行する（＃２１９）。そして、ストロボ発光を行った場合には（＃２２０）、その時の時刻をＰ１に記憶し（＃２２１）、一連の動作を終了する。
【００３７】
以上の実施の第２の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合にはレリーズをロックするようにしているので（＃２０７〜＃２１８）、ストロボ関連部品の破損，溶解を招くことなく、外部温度もそれほど上昇せず、又外装に変形，変色等を生じることも無い。
【００３８】
また、しきい値Ｃ［３］に応じて、木目細かくレリーズロックする時間Ｔ［４］を決めるため、複数枚数以上の連写の場合以外にはこのような状態は起りにくくなることは勿論、さらに必要以上に撮影者に不快な思いをさせなくても済むようになる。
【００３９】
更に、ストロボ発光間隔を測定するのに前回発光した時刻と今回発光する時刻のみを測定するので、その間の動作は消費電流の非常に少ない時計動作のみで済むため、大幅な電力消費を防ぐ事ができる。
【００４０】
なお、本発明はこのフローチャートに限定されるものではない。この実施の第２の形態では、上記の制御をレリーズ動作および撮影準備動作に連動して実施しているが、これを実際のシャッタ制御前に行っても同様の効果を得る事ができる。また、発光間隔を測定するのに前回と今回の発光時刻の差を演算したが、これを一連の低消費電力専用タイマを用いても同様の効果を得ることができる。また、フローチャート中の各パラメータＴ［１］，Ｎ［２］，Ｃ［３］，Ｔ［４］等は、制御回路６内の固定値でも、メモリ回路内に外部より書き込まれた値でも同様の効果を得ることができる。
【００４１】
また、ステップ＃２１２，＃２１５，＃２１８にて一定時間待った後にすぐに撮影動作に移行したが、ここで再度レリーズスイッチが全押しされたか否かの判定をし、全押しされた場合に撮影動作を行っても同様の効果を得ることができる。又、今回のストロボ発光時刻を本フローチャートでは撮影動作が終了した後に記憶しているが、これを図２のフローチャートのように発光直後に記憶しても同様の効果を得ることができる。
【００４２】
（実施の第３の形態）
次に、本発明の実施の第３の形態に係るカメラの主要部分の動作について、図４のフローチャートにしたがって説明する。この実施の第３の形態では、ストロボ発光間隔の基準値Ｔ［１］に応じて加算する積算値Ｎ［１] を変えるようにして、上記実施の第１の形態と同様の効果を得ようとするものである。
【００４３】
まず制御回路６は、撮影者がレリーズ動作を行ったか否かを不図示のレリーズスイッチ等にて検出する（＃３０１）。ここで、レリーズ動作が行われたと判定すると、制御回路６は撮影装置８に指令を送り、撮影の為の電圧チェック，露出，ストロボ充電，ピント合わせ等の撮影準備動作を行う（＃３０２）。この一連の撮影準備動作にて、制御回路６はストロボ発光を行う撮影であるかそうでないかの判定を行う（＃３０３）。ストロボ撮影の場合には、時間測定回路４あるいは全体としてのＣＰＵにて判定した時の現在時刻Ｐ２を読み取り（＃３０４）、前回のストロボ発光時刻Ｐ１と今回のストロボ発光時刻Ｐ２（ほぼストロボ発光時刻に相当）の差を演算し、ストロボ発光間隔を求める（＃３０４）。この値をまず予め定められた所定時間Ｔ［１］1 と比較し（＃３０５）、このＴ［１］1 よりもストロボ発光間隔が短い場合には、積算によって熱が溜まっていくので積算回路５のしきい値Ｃに所定量Ｎ［２］1 を積算する（＃３０６）。ステップ＃３０５にてＴ［１］1 よりも発光間隔の方が大きい場合には、予め定められた所定時間Ｔ［１］2 と比較し（＃３０７）、このＴ［１］2 よりもストロボ発光間隔が短い場合には、積算によって熱が溜まって行くので積算回路５のしきい値Ｃに所定量Ｎ［２］2 を積算する（＃３０８）。ステップ＃３０７にてＴ［１］2 よりも発光間隔の方が大きい場合には、同様の処理を行う。以下この動作を繰り返し、Ｔ［１］n よりもストロボ発光間隔が短い場合（＃３０９）には、積算によって熱が溜まっていくので積算回路５のしきい値Ｃに所定量Ｎ［２］n （Ｎ［２］n ＜Ｎ［２］n-1 ＜……＜Ｎ［２］2 ＜Ｎ［２］1 ）、を積算する（＃３１０）。ステップ＃３０９にてＴ［１］n よりも発光間隔の方が大きい場合には、この積算動作は行わない。ここで
Ｔ［１］1 ＜Ｔ［１］2 ＜……＜Ｔ［１］n-1 ＜Ｔ［１］n
の関係が成り立っているとする。
【００４４】
その後にステップ＃３０６，＃３０８，＃３１０にて演算された、現在の積算値Ｃと予め定められたしきい値Ｃ［３］との比較を行う（＃３１１）。ここで現在の積算値Ｃが予め定められたしきい値Ｃ［３］よりも大きいと判定した場合には、制御回路はタイマを作動させ、カウントを開始させる（＃３１２）。そして、レリーズスイッチがオフになったか（＃３１３）、あるいはタイマが一定時間Ｔ［４］に達したか（＃３１４）を判定する。ステップ＃３１３にてレリーズスイッチがオフになった場合には、すなわち放熱の待ち時間内にレリーズスイッチが離された場合には、その後の動作を行わずに終了する。レリーズスイッチが押されたまま所定時間が経過した場合には、シャッタ開制御等のストロボ発光前までの撮影動作１を実行し（＃３１５）、次にストロボ発光を行った場合には（＃３１６）、その時の時刻をＰ１に記憶し（＃３１７）、その後シャッタ制御，デート写し込み，一駒巻き上げ等の撮影動作２を行う（＃３１８）。
【００４５】
以上の実施の第３の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合にはレリーズをロックするようにしているので（＃３０４〜＃３１４）、ストロボ関連部品の破損，溶解を招くことなく、外部温度もそれほど上昇せず、又外装に変形，変色等を生じることも無い。
【００４６】
また、積算値がストロボ発光間隔によって変化するので、より木目細かく実際のものに合せる事ができ、さらに必要以上に撮影者に不快な思いをさせなくても済むようになる。
【００４７】
更に、ストロボ発光間隔を測定するのに前回発光した時刻と今回発光する時刻のみを測定するので、その間の動作は消費電流の非常に少ない時計動作のみで済むため、大幅な電力消費を防ぐ事ができる。
【００４８】
なお、本発明はこのフローチャートに限定されるものではない。この実施の第３の形態では、上記の制御をレリーズ動作および撮影準備動作に連動して実施しているが、これを実際のシャッタ制御前に行っても同様の効果を得る事ができる。また、発光間隔を測定するのに前回と今回の発光時刻の差を演算したが、これを一連の低消費電力専用タイマを用いても同様の効果を得ることができる。またフローチャート中の各パラメータＴ［１］，Ｎ［２］，Ｃ［３］，Ｔ［４］等は、制御回路６内の固定値でも、メモリ回路内に外部より書き込まれた値でも同様の効果を得ることができる。
【００４９】
また、ステップ＃３１４で一定時間待った後にすぐに撮影動作に移行したが、ここで再度レリーズスイッチが全押しされたか否かの判定をし、全押しされた場合に撮影動作を行っても同様の効果を得ることができる。
【００５０】
（実施の第４の形態）
次に、本発明の実施の第４の形態に係るカメラの主要部分の動作について、図５のフローチャートにしたがって説明する。この実施の第４の形態では、ストロボ発光間隔が所定時間Ｔ［５] よりも長い場合（発熱がストロボ関連部品に悪影響を及ぼさない程度に放熱される時間よりも長い場合）には、積算値をリセットするようにしたものである。
【００５１】
まず制御回路６は、撮影者がレリーズ動作を行ったか否かを不図示のレリーズスイッチ等にて検出する（＃４０１）。ここで、レリーズ動作が行われたと判定すると、制御回路６は撮影装置８に指令を送り、撮影の為の電圧チェック，露出，ストロボ充電，ピント合わせ等の撮影準備動作を行う（＃４０２）。この一連の撮影準備動作にて、制御回路６はストロボ発光を行う撮影であるかそうでないかの判定を行う（＃４０３）。ストロボ撮影の場合には、時間測定回路４あるいは全体としてのＣＰＵにて判定した時の現在時刻Ｐ２を読み取り（＃４０４）、前回のストロボ発光時刻Ｐ１と今回のストロボ発光時刻Ｐ２（ほぼストロボ発光時刻に相当）の差を演算し、ストロボ発光間隔を求める（＃４０４）。この値を予め定められた所定時間Ｔ［１］と比較し（＃４０５）、このＴ［１］よりもストロボ発光間隔が短い場合には、積算によって熱が溜まっていくので積算回路５のしきい値Ｃに所定量Ｎ［２］を積算する（＃４０６）。
【００５２】
また、上記ステップ＃４０５にてＴ［１］よりも発光間隔の方が大きい場合には、この積算動作は行わないと共に、ストロボ発光間隔と予め定められた所定時間Ｔ［５] と比較し（＃４０７）、このＴ［５] よりもストロボ発光間隔が長い場合には、積算値Ｃをゼロクリア（初期化）する（＃４０８）。
【００５３】
その後、現在の積算値Ｃと予め定められたしきい値Ｃ［３］との比較を行う（＃４０９）。ここで現在の積算値Ｃが予め定められたしきい値Ｃ［３］よりも大きいと判定した場合には、制御回路はタイマを作動させ、カウントを開始させる（＃４１０）。そして、レリーズスイッチがオフになったか（＃４１１）、あるいはタイマが一定時間Ｔ［４］に達したか（＃４１２）を判定する。ステップ＃４１１にてレリーズスイッチがオフになった場合には、すなわち放熱の待ち時間内にレリーズスイッチが離された場合には、その後の動作を行わずに終了する。レリーズスイッチが押されたまま所定時間が経過した場合には、シャッタ開制御等のストロボ発光前までの撮影動作１を実行し（＃４１３）、次にストロボ発光を行った場合には（＃４１４）、その時の時刻をＰ１に記憶し（＃４１５）、その後シャッタ制御，デート写し込み，一駒巻き上げ等の撮影動作２を行う（＃４１６）。
【００５４】
以上の実施の第４の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合にはレリーズをロックするようにしているので（＃４１１，＃４１２）、ストロボ関連部品の破損，溶解を招くことなく、外部温度もそれほど上昇せず、又外装に変形，変色等を生じることも無い。
【００５５】
また、ストロボ発光間隔が所定時間Ｔ［５] 以上開けば積算値がゼロクリアされるので（＃４０８）、複数枚数以上の連写の場合以外にはこのような状態は起りにくく、かつ時間をおけばレリーズロックが常にかかりっぱなしになるような機会も少なくなり、必要以上に撮影者に不快な思いをさせなくても済む事になる。
【００５６】
更に、ストロボ発光間隔を測定するのに前回発光した時刻と今回発光する時刻のみを測定するので、その間の動作は消費電流の非常に少ない時計動作のみで済むため、大幅な電力消費を防ぐ事ができる。
【００５７】
なお、本発明はこのフローチャートに限定されるものではない。この実施の第４の形態では、上記の制御をレリーズ動作および撮影準備動作に連動して実施しているが、これを実際のシャッタ制御前に行っても同様の効果を得る事ができる。また、発光間隔を測定するのに前回と今回の発光時刻の差を演算したが、これを一連の低消費電力専用タイマを用いても同様の効果を得ることができる。また、フローチャート中の各パラメータＴ［１］，Ｎ［２］，Ｃ［３］，Ｔ［４］等は、制御回路６内の固定値でも、メモリ回路内に外部より書き込まれた値でも同様の効果を得ることができる。
【００５８】
また、ステップ＃４１１〜＃４１２で一定時間待った後にすぐに撮影動作に移行したが、ここで再度レリーズスイッチが全押しされたか否かの判定をし、全押しされた場合に撮影動作を行っても同様の効果を得ることができる。
【００５９】
（実施の第５の形態）
次に、本発明の実施の第５の形態に係るカメラの主要部分の動作について、図６のフローチャートにしたがって説明する。この実施の第５の形態では、ストロボ発光間隔が基準値Ｔ［５] よりも長い場合には、積算値を所定量 n［６] 減算するようにしたものである。
【００６０】
まず制御回路６は、撮影者がレリーズ動作を行ったか否かを不図示のレリーズスイッチ等にて検出する（＃５０１）。ここで、レリーズ動作が行われたと判定すると、制御回路６は撮影装置８に指令を送り、撮影の為の電圧チェック，露出，ストロボ充電，ピント合わせ等の撮影準備動作を行う（＃５０２）。この一連の撮影準備動作にて、制御回路６はストロボ発光を行う撮影であるかそうでないかの判定を行う（＃５０３）。ストロボ撮影の場合には、時間測定回路４あるいは全体としてのＣＰＵ１３にて判定した時の現在時刻Ｐ２を読み取り（＃５０４）、前回のストロボ発光時刻Ｐ１と今回のストロボ発光時刻Ｐ２（ほぼストロボ発光時刻に相当）の差を演算し、ストロボ発光間隔を求める（＃５０４）。この値を予め定められた所定時間Ｔ［１］と比較し（＃５０５）、このＴ［１］よりもストロボ発光間隔が短い場合には、積算によって熱が溜まっていくので積算回路５のしきい値Ｃに所定量Ｎ［２］を積算する（＃５０６）。
【００６１】
また、上記ステップ＃５０５にてＴ［１］よりも発光間隔の方が大きい場合には、この積算動作は行わないと共に、ストロボ発光間隔と予め定められた時間Ｔ［５] と比較し（＃５０７）、このＴ［５] よりもストロボ発光間隔が長い場合には、積算値Ｃを所定時間Ｔ［５] に応じた値 n［６] だけ減算する（＃５０８）。
【００６２】
その後、現在の積算値Ｃと予め定められたしきい値Ｃ［３］との比較を行う（＃５０９）。ここで現在の積算値Ｃが予め定められたしきい値Ｃ［３］よりも大きいと判定した場合には、制御回路はタイマを作動させ、カウントを開始させる（＃５１０）。そして、レリーズスイッチがオフになったか（＃５１１）、あるいはタイマが一定時間Ｔ［４］に達したか（＃５１２）を判定する。ステップ＃５１１にてレリーズスイッチがオフになった場合には、すなわち放熱の待ち時間内にレリーズスイッチが離された場合には、その後の動作を行わずに終了する。レリーズスイッチが押されたまま所定時間が経過した場合には、シャッタ開制御等のストロボ発光前までの撮影動作１を実行し（＃５１３）、次にストロボ発光を行った場合には（＃５１４）、その時の時刻をＰ１に記憶し（＃５１５）、その後シャッタ制御，デート写し込み，一駒巻き上げ等の撮影動作２を行う（＃５１６）。
【００６３】
以上の実施の第５の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合にはレリーズをロックするようにしているので（＃５１１，＃５１２）、ストロボ関連部品の破損，溶解を招くことなく、外部温度もそれほど上昇せず、又外装に変形，変色等を生じることも無い。
【００６４】
また、ストロボ発光間隔が所定時間Ｔ［５] 以上開けば積算値がその時間（Ｐ１−Ｐ２の時間）あるいは判定の時間であるＴ［５] に応じて減算されるので（＃５０８）、複数枚数以上の連写の場合以外にはこのような状態は起りにくく、かつ時間をおけばレリーズロックが常にかかりっぱなしになるような機会も少なくなり、必要以上に撮影者に不快な思いをさせなくても済む事になる。
【００６５】
さらに、ストロボ発光間隔を測定するのに前回発光した時刻と今回発光する時刻のみを測定するので、その間の動作は消費電流の非常に少ない時計動作のみで済むため、大幅な電力消費を防ぐ事ができる。
【００６６】
なお、本発明はこのフローチャートに限定されるものではない。この実施の第５の形態では、上記の制御をレリーズ動作および撮影準備動作に連動して実施しているが、これを実際のシャッタ制御前に行っても同様の効果を得る事ができる。また、発光間隔を測定するのに前回と今回の発光時刻の差を演算したが、これを一連の低消費電力専用タイマを用いても同様の効果を得ることができる。また、フローチャート中の各パラメータＴ［１］，Ｎ［２］，Ｃ［３］，Ｔ［４］等は、制御回路６内の固定値でも、メモリ回路内に外部より書き込まれた値でも同様の効果を得ることができる。
【００６７】
（実施の第６の形態）
次に、本発明の実施の第６の形態に係るカメラの主要部分の動作について、図７のフローチャートにしたがって説明する。この実施の第６の形態では、積算値が所定量Ｃ［３］を超えた場合のレリーズロック期間、警告表示を行うようにしたものである。
【００６８】
まず制御回路６は、撮影者がレリーズ動作を行ったか否かを不図示のレリーズスイッチ等にて検出する（＃６０１）。ここで、レリーズ動作が行われたと判定すると、制御回路６は撮影装置８に指令を送り、撮影の為の電圧チェック，露出，ストロボ充電，ピント合わせ等の撮影準備動作を行う（＃６０２）。この一連の撮影準備動作にて、制御回路６はストロボ発光を行う撮影であるかそうでないかの判定を行う（＃６０３）。ストロボ撮影の場合には、時間測定回路４あるいは全体としてのＣＰＵにて判定した時の現在時刻Ｐ２を読み取り（＃６０４）、前回のストロボ発光時刻Ｐ１と今回のストロボ発光時刻Ｐ２（ほぼストロボ発光時刻に相当）の差を演算し、ストロボ発光間隔を求める（＃６０４）。この値を予め定められた所定時間Ｔ［１］と比較し（＃６０５）、このＴ［１］よりもストロボ発光間隔が短い場合には、積算によって熱が溜まっていくので積算回路５のしきい値Ｃに所定量Ｎ［２］を積算する（＃６０６）。
【００６９】
その後、現在の積算値Ｃと予め定められたしきい値Ｃ［３］との比較を行う（＃６０７）。ここで現在の積算値Ｃが予め定められたしきい値Ｃ［３］よりも大きいと判定した場合には、制御回路６はタイマを作動させ、カウントを開始させる（＃６０８）と共に、表示装置３に信号を送り、発熱の為にレリーズロックをかけている事を表わすための警告表示を開始させる（＃６０９）。そして、レリーズスイッチがオフになったか（＃６１０）、あるいはタイマが一定時間Ｔ［４］に達したか（＃６１１）を判定する。ステップ＃６１０にてレリーズスイッチがオフになった場合には、すなわち放熱の待ち時間内にレリーズスイッチが離された場合には、その後の動作を行わずに警告表示停止させて終了する。レリーズスイッチが押されたまま所定時間が経過した場合には、再度表示装置３に信号を送る（＃６１２）と共に、シャッタ開制御等のストロボ発光前までの撮影動作１を実行し（＃６１３）、次にストロボ発光を行った場合には（＃６１４）、その時の時刻をＰ１に記憶し（＃６１５）、その後シャッタ制御，デート写し込み，一駒巻き上げ等の撮影動作２を実行する（＃６１６）。
【００７０】
以上の実施の第６の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合にはレリーズをロックするようにしているので（＃６１１）、ストロボ関連部品の破損，溶解を招くことなく、外部温度もそれほど上昇せず、又外装に変形，変色等を生じることも無い。
【００７１】
また、ストロボ発熱の為のレリーズロック時に警告表示がなされるので（＃６０９〜＃６１２）、撮影者はなぜこのような事態になっているか判断でき、少し待てば元通り撮影可能となるとことを知ることができる。また、この表示をストロボ充電中表示と同じ表示をすれば、通常のカメラ動作と同様の感覚で操作する事ができ、カメラの事を熟知していない撮影者に対しても非常にわかり易い表示となる。
【００７２】
更に、ストロボ発光間隔を測定するのに前回発光した時刻と今回発光する時刻のみを測定するので、その間の動作は消費電流の非常に少ない時計動作のみで済むため、大幅な電力消費を防ぐ事ができる。
【００７３】
なお、本発明はこのフローチャートに限定されるものではない。この実施の第６の形態では、警告表示については特にその内容について明記していないが、これがＬＥＤのような発光体であっても、ＬＣＤのような液晶表示体のようなものであっても、音，音声であっても、振動等の感覚によるものでも、同様の効果を得ることができる。
【００７４】
（実施の第７の形態）
次に、本発明の実施の第７の形態に係るカメラの主要部分の動作について、図８のフローチャートにしたがって説明する。この実施の第７の形態では、設定装置２による設定情報によってストロボ連続発光時にレリーズロックをかけたり、警告表示を行ったり、それらの動作を止めたり、撮影者によって自由に選択させるようにしたものである。
【００７５】
まず制御回路６は、撮影者がレリーズ動作を行ったか否かを不図示のレリーズスイッチ等にて検出する（＃７０１）。ここで、レリーズ動作が行われたと判定すると、制御回路６は撮影装置８に指令を送り、撮影の為の電圧チェック，露出，ストロボ充電，ピント合わせ等の撮影準備動作を行う（＃７０２）。この一連の撮影準備動作にて制御回路６はストロボ発光を行う撮影であるかそうでないかの判定を行う（＃７０３）。ストロボ撮影の場合には、時間測定回路４あるいは全体としてのＣＰＵにて判定した時の現在時刻Ｐ２を読み取り（＃７０４）、前回のストロボ発光時刻Ｐ１と今回のストロボ発光時刻Ｐ２（ほぼストロボ発光時刻に相当）の差を演算し、ストロボ発光間隔を求める（＃７０４）。この値を予め定められた所定時間Ｔ［１］と比較し（＃７０５）、このＴ［１］よりもストロボ発光間隔が短い場合には、積算によって熱が溜まっていくので積算回路５のしきい値Ｃに所定量Ｎ［２］を積算する（＃７０６）。
【００７６】
その後、現在の積算値Ｃと予め定められたしきい値Ｃ［３］との比較を行う（＃７０７）。ここで現在の積算値Ｃが予め定められたしきい値Ｃ［３］よりも大きいと判定した場合には、次に設定装置３より設定情報を読み込み（＃７０８）、その設定情報を判定する（＃７０９）。ここで特定枚数しか撮影されない場合などに警告表示およびレリーズロックを行わないモード１に設定された場合には、ステップ＃７２４へ移行する。警告表示，レリーズロックとも行うモード２に設定された場合には、ステップ＃７１０へ移行し、制御回路６はタイマを作動させ、カウントを開始させる（＃７１０）と共に、表示装置３に信号を送り、発熱の為にレリーズロックをかけている事を表わすための警告表示を開始させる（＃７１１）。そして、レリーズスイッチがオフになったか（＃７１２）、あるいはタイマが一定時間Ｔ［４］に達したか（＃７１３）を判定する。ステップ＃７１２にてレリーズスイッチがオフになった場合には、すなわち放熱の待ち時間内にレリーズスイッチが離された場合には、その後の動作を行わずに警告表示停止させて終了する。レリーズスイッチが押されたまま所定時間が経過した場合には、再度表示装置３に信号を送り、警告表示を停止させる（＃７１４）。
【００７７】
上記ステップ＃７０９にてレリーズロックはかけずに警告表示のみ行うモード３に設定された場合には、ステップ＃７１５へ移行し、制御回路６はタイマを作動させ、カウントを開始させる（＃７１５）と共に、表示装置３に信号を送り、発熱を表わすための警告表示を開始させる（＃７１６）。そして、レリーズスイッチが全押しになったか（＃７１７）あるいはタイマが一定時間Ｔ［４］に達したか（＃７１８）を判定する。ステップ＃７１７にてレリーズスイッチが全押しになった場合には、すなわち撮影したい場合には所定時間が経過していなくてもステップ＃７１９へ移行する。そして、レリーズスイッチが押されたまま所定時間が経過した場合（＃７１８のＹＥＳ）、あるいは、ステップ＃７１７より移行してきた場合には、再度表示装置３に信号を送り、警告表示を停止させる（＃７１９）。
【００７８】
上記ステップ＃７１４あるいはステップ＃７１９の終了後はステップ＃７２４へ移行してレリーズスイッチがオフされたかを判定し、オフであればこのフローを終了するが、オンであればレリーズスイッチが全押しされたかを判定（＃７２５）し、全押しされていなければステップ＃７２４へ戻り、全押しされていればステップ＃７２０へ移行する。そして、シャッタ開制御等のストロボ発光前までの撮影動作１を実行し（＃７２０）、ストロボ発光を行った場合には（＃７２１）、その時の時刻をＰ１に記憶し（＃７２２）、その後シャッタ制御，デート写し込み，一駒巻き上げ等の撮影動作２を実行する（＃７２３）。
【００７９】
以上の実施の第７の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合にはレリーズをロックするようにしているので（＃７１３又は＃７１８）、ストロボ関連部品の破損，溶解を招くことなく、外部温度もそれほど上昇せず、又外装に変形，変色等を生じることも無い。
【００８０】
また、この内容を撮影者が自分で設定できるので（＃７０８）、より撮影シーンに有った状態で使用する事ができ、緊急な場合にも対応できるので、必要以上に撮影者に不快な思いをさせなくても済む事になる。
【００８１】
（実施の第８の形態）
次に、本発明の実施の第８の形態に係るカメラの主要部分の動作について、図９のフローチャートにしたがって説明する。この実施の第８の形態では、ストロボ発熱の保護動作中にストロボ発光間隔が所定時間以内の場合にレリーズされると、ストロボ撮影からＡＥ（自動露出）撮影に切り換わるようにしたものである。
【００８２】
まず制御回路６は、撮影者がレリーズ動作を行ったか否かを不図示のレリーズスイッチ等にて検出する（＃８０１）。ここで、レリーズ動作が行われたと判定すると、制御回路６は撮影装置８に指令を送り、撮影の為の電圧チェック，露出，ストロボ充電，ピント合わせ等の撮影準備動作を行う（＃８０２）。この一連の撮影準備動作にて、制御回路６はストロボ発光を行う撮影であるかそうでないかの判定を行う（＃８０３）。ストロボ撮影の場合には、時間測定回路４あるいは全体としてのＣＰＵにて判定した時の現在時刻Ｐ２を読み取り（＃８０４）、前回のストロボ発光時刻Ｐ１と今回のストロボ発光時刻Ｐ２（ほぼストロボ発光時刻に相当）の差を演算しストロボ発光間隔を求める（＃８０４）。この値をまず予め定められた所定時間Ｔ［１］1 と比較し（＃８０５）、このＴ［１］1 よりもストロボ発光間隔が短い場合には、積算によって熱が溜まっていくので積算回路５のしきい値Ｃに所定量Ｎ［２］1 を積算する（＃８０６）。ステップ＃８０５にてＴ［１］1 よりも発光間隔の方が大きい場合には、予め定められた所定時間Ｔ［１］2 と比較し（＃８０７）、このＴ［１］2 よりもストロボ発光間隔が短い場合には、積算によって熱が溜まっていくので積算回路５のしきい値Ｃに所定量Ｎ［２］2 を積算する（＃８０８）。
【００８３】
上記ステップ＃８０８にてＴ［１］2 よりも発光間隔の方が大きい場合には、同様の処理を行う。以下この動作を繰り返し、Ｔ［１］n よりもストロボ発光間隔が短い場合（＃８０９）には、積算によって熱が溜まっていくので積算手段５の積算値Ｃに所定量Ｎ［２］n を積算する（＃８１０）。ステップ＃８０９にてＴ［１］n よりも発光間隔の方が大きい場合には、この積算動作は行わない。ここで
Ｔ［１］1 ＜Ｔ［１］2 ＜……＜Ｔ［１］n-1 ＜Ｔ［１］n
の関係が成り立っているとする。
【００８４】
その後、ステップ＃８０６，＃８０８，＃８１０にて演算された、現在の積算値Ｃと予め定められたしきい値Ｃ［３］1 との比較を行う（＃８１１）。現在の積算値Ｃが予め定められたしきい値Ｃ［３］1 よりも大きいと判定した場合には、次に現在の積算値Ｃと予め定められたしきい値Ｃ［３］2 との比較を行う（＃８１２）。ここでこの積算値Ｃが予め定められたしきい値Ｃ［３］2 よりも小さい場合には、
Ｃ［３］2 ＞Ｃ＞Ｃ［３］1
であるので、このしきい値Ｃ［３］1 に対応した一定時間Ｔ［４］1 にてタイマをスタートさせる（＃８２０）。そして、レリーズスイッチが全押しされたか（＃８２１）あるいはタイマが一定時間Ｔ［４］1 に達したか（＃８２２）を判定する。ステップ＃８２１にてレリーズスイッチが全押しされた場合には、すなわち放熱の待ち時間内に撮影したい場合には、ステップ＃８２７へ移行する。
【００８５】
一方、ステップ＃８１２にて現在の積算値Ｃが予め定められたしきい値Ｃ［３］2 よりも大きいと判定された場合には、同様に現在の積算値Ｃと予め定められた積算値Ｃ［３] ３との比較を行っていき、同様の処理を行う。以下この動作を繰り返し、現在の積算値Ｃが予め定められたしきい値Ｃ［３］n-1 よりも大きく予め定められたしきい値Ｃ［３］n より小さいと判定した場合には（＃８１３）、このしきい値Ｃ［３］n-1 に対応した一定時間Ｔ［４］n-1 にてタイマをスタートさせる（＃８１７）。そして、レリーズスイッチが全押しされたか（＃８１８）、あるいはタイマが一定時間Ｔ［４］n-1 に達したか（＃８１９）を判定する。ステップ＃８１８にてレリーズスイッチが全押しされた場合には、すなわち放熱の待ち時間内に撮影したい場合には、ステップ＃８２７へ移行する
上記ステップ＃８１３にて現在の積算値Ｃが予め定められたしきい値Ｃ［３］n よりも大きいと判定した場合には、このしきい値Ｃ［３］n に対応した一定時間Ｔ［４］n にてタイマをスタートさせる（＃８１４）。そして、レリーズスイッチが全押しされたか（＃８１５）あるいはタイマが一定時間Ｔ［４］n に達したか（＃８１６）を判定する。ステップ＃８１５にてレリーズスイッチがオフになった場合には、すなわち放熱の待ち時間内に撮影したい場合には、ステップ＃８２７へ移行する。
【００８６】
上記ステップ＃８１６，＃８１９，＃８２２にてレリーズスイッチがオフされたまま所定時間が経過した場合には、ステップ＃８２８へ移行してレリーズスイッチがオフのままであるかを判定し、オフのままであればこのフローを終了するが、オンされていれば次にレリーズスイッチが全押しされた状態かを判定（＃８２９）し、全押しされていなければステップ＃８２８へ戻り、全押しされていればステップ＃８２３へ移行する。そして、シャッタ開制御等のストロボ発光前までの撮影動作１を実行し（＃８２３）、所定タイミングでストロボ発光を行い（＃８２４）、その時の時刻をＰ１に記憶し（＃８２５）、その後シャッタ制御，デート写し込み，一駒巻き上げ等の撮影動作２を実行する（＃８２６）。
【００８７】
上記ステップ＃８１５，＃８１８，＃８２１にてレリーズスイッチが全押しされた場合には、ストロボ撮影からストロボを使用しない通常のＡＥ撮影に切り換え、それに応じてシャッタ制御，一駒巻き上げ等の一連の撮影動作を実行する（＃８２７）。
【００８８】
以上の実施の第８の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合には所定時間待つかＡＥ撮影に切り換えるようにしているので（＃８１６，＃８１９，＃８２２）、ストロボ関連部品の破損，溶解を招くことなく、外部温度もそれほど上昇せず、又外装に変形，変色等を生じることも無い。
【００８９】
また、放熱の待ち時間内に撮影したい場合にはそのままレリーズをする事により、撮影モードがストロボ撮影からＡＥ撮影に自動的に切り換わって撮影できるので、シャッタチャンスを逃す事無く撮影する事ができる。
【００９０】
なお、本発明はこのフローチャートに限定されるものではない。ステップ＃８２７へ移行する際に突然ＡＥ撮影にしているが、ここで警告表示，撮影者への連絡を行っても同様の効果を得る事ができる。
【００９１】
また、ストロボ発光の時間間隔として、前回と今回の時間間隔を測定するようにしているが、前々回と前回との時間間隔を測定し、この比較結果により以降の動作を制御するようにしてもほぼ同様の効果を得ることができる。
【００９２】
（実施の第９の形態）
次に、本発明の実施の第９の形態に係るカメラの主要部分の動作について、図１０のフローチャートにしたがって説明する。この実施の第９の形態では、図９の思想のカメラあるいはストロボ装置において、ストロボ発光間隔が所定時間Ｔ［５］よりも長い場合には積算値をリセットするようにしたものである。
【００９３】
まず制御回路６は、撮影者がレリーズ動作を行ったか否かを不図示のレリーズスイッチ等にて検出する（＃９０１）。ここで、レリーズ動作が行われたと判定すると、制御回路６は撮影装置８に指令を送り、撮影の為の電圧チェック，露出，ストロボ充電，ピント合わせ等の撮影準備動作を行う（＃９０２）。この一連の撮影準備動作にて制御回路６はストロボ発光を行う撮影であるかそうでないかの判定を行う（＃９０３）。ストロボ撮影の場合には、時間測定回路４あるいは全体としてのＣＰＵにて判定した時の現在時刻Ｐ２を読み取り（＃９０４）、前回のストロボ発光時刻Ｐ１と今回のストロボ発光時刻Ｐ２（ほぼストロボ発光時刻に相当）の差を演算し、ストロボ発光間隔を求める（＃９０４）。この値を予め定められた所定時間Ｔ［１］と比較し（＃９０５）、このＴ［１］よりもストロボ発光間隔が短い場合には、積算によって熱が溜まっていくので積算回路５の積算値Ｃに所定値Ｎ［２］を積算する（＃９０６）。
【００９４】
また、上記ステップ＃９０５にてＴ［１］よりも発光間隔の方が大きい場合にはこの積算動作は行わないとともに、前記ストロボ発光間隔と予め定められた時間Ｔ［５］とを比較し（＃９０７）、このＴ［５］よりもストロボ発光間隔が長い場合には、積算値Ｃをゼロクリアする（＃９０８）。
【００９５】
その後、現在の積算値Ｃと予め定められたしきい値Ｃ［３］との比較を行う（＃９０９）。ここで現在の積算値Ｃが予め定められたしきい値Ｃ［３］よりも大きいと判定した場合には、制御回路６はタイマを作動させカウントを開始させる（＃９１０）と共に、表示装置３に信号を送り、発熱の為にすぐにレリーズをした場合にＡＥ撮影になる事を表わすための（例えば、ストロボ発光禁止表示等の）警告表示を開始させる（＃９１１）。そして、レリーズスイッチが全押しされたか（＃９１２）、あるいはタイマが一定時間Ｔ［４］に達したか（＃９１３）を判定する。ステップ＃９１２にてレリーズスイッチが全押しされた場合には、すなわち放熱の待ち時間内に撮影したい場合には、警告表示停止（フローでは不図示）させてステップ＃９１９へ移行する。レリーズスイッチが半押しされたまま所定時間が経過した場合（＃９１３のＹＥＳ）には、再度表示装置３に信号を送り、警告表示を停止させ（＃９１４）、レリーズスイッチがオフされたかを判定（＃９２０）し、オフであればこのフローを終了するが、オンであればレリーズスイッチが全押しされたかを判定（＃９２１）し、全押しされていなければステップ＃９２０へ戻る。また、全押しされていればステップ＃９１５へ移行する。そして、シャッタ開制御等のストロボ発光前までの撮影動作１を実行し（＃９１５）、次にストロボ発光された場合には（＃９１６）、その時の時刻をＰ１に記憶し（＃９１７）、その後シャッタ制御，デート写し込み，一駒巻き上げ等の撮影動作２を実行する（＃９１８）。
【００９６】
上記ステップ＃９１２にてレリーズスイッチが全押しされた場合には、ストロボ撮影からストロボを使用しない通常のＡＥ撮影に切り換え、それに応じてシャッタ制御，一駒巻き上げ等の一連の撮影動作を実行する（＃９１９）。
【００９７】
以上の実施の第９の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合には所定時間待つかＡＥ撮影に切り換えるようにしているので（＃９１９）、ストロボ関連部品の破損，溶解を招くことなく、外部温度もそれほど上昇せず、又外装に変形，変色等を生じることも無い。
【００９８】
また、ストロボ発光間隔が所定時間Ｔ［５］以上開けば積算値がゼロクリアされるので（＃９０８）、複数枚数以上の連写の場合以外にはこのような状態は起りにくく、かつ時間をおけばストロボ撮影からＡＥ撮影に切り換わる機会も少なくなり、必要以上に撮影者に不快な思いをさせなくても済む事になる。
【００９９】
また、ストロボ発熱の為の期間中に警告表示がなされるので（＃９１１）、撮影者はなぜこのような事態になっているか判断でき、少し待てば元通り撮影可能となることを知ることができる。又この表示をストロボ発光禁止と同じ表示をすれば、現在の撮影がＡＥ撮影になっているのかＦＡ撮影になっているのか、カメラの事を熟知していない撮影者に対しても非常にわかり易くなる。
【０１００】
（実施の第１０の形態）
次に、本発明の実施の第１０の形態に係るカメラの主要部分の動作について、図１１のフローチャートにしたがって説明する。この実施の第１０の形態では、図９の思想のカメラあるいはストロボ装置において、ストロボ発光間隔が所定時間Ｔ［５］よりも長い場合には積算値を値 n［６］だけ減算するようにしたものである。
【０１０１】
まず制御回路６は、撮影者がレリーズ動作を行ったか否かを不図示のレリーズスイッチ等にて検出する（＃１００１）。ここで、レリーズ動作が行われたと判定すると、制御回路６は撮影装置８に指令を送り、撮影の為の電圧チェック，露出，ストロボ充電，ピント合わせ等の撮影準備動作を行う（＃１００２）。この一連の撮影準備動作にて制御回路６はストロボ発光を行う撮影であるかそうでないかの判定を行う（＃１００３）。ストロボ撮影の場合には、時間測定回路４あるいは全体としてのＣＰＵにて判定した時の現在時刻Ｐ２を読み取り（＃１００４）、前回のストロボ発光時刻Ｐ１と今回のストロボ発光時刻Ｐ２（ほぼストロボ発光時刻に相当）の差を演算し、ストロボ発光間隔を求める（＃１００４）。そいて、この値を予め定められた所定時間Ｔ［１］と比較し（＃１００５）、このＴ［１］よりもストロボ発光間隔が短い場合には、積算によって熱が溜まっていくので積算手段５の積算値Ｃに所定値Ｎ［２］を積算する（＃１００６）。
【０１０２】
また、ステップ＃１００５にてＴ［１］よりも発光間隔の方が大きい場合には、この積算動作は行わないと共に、ストロボ発光間隔と予め定められた時間Ｔ［５］と比較し（＃１００７）、このＴ［５］よりもストロボ発光間隔が長い場合には、積算値Ｃを時間Ｔ［５］に応じた値 n［６］だけ減算する（＃１００８）。
【０１０３】
その後、現在の積算値Ｃと予め定められたしきい値Ｃ［３］1 との比較を行う（＃１００９）。現在の積算値Ｃが予め定められたしきい値Ｃ［３］1 よりも大きいと判定した場合には、次に現在の積算値Ｃと予め定められたしきい値Ｃ［３］2 との比較を行う（＃１０１０）。ここでこの積算値Ｃが予め定められたしきい値Ｃ［３］2 よりも小さい場合には、
Ｃ［３］2 ＞Ｃ＞Ｃ［３］1
であるので、このしきい値Ｃ［３］1 に対応した一定時間Ｔ［４］1 にてタイマをスタートさせる（＃１０１８）。そして、レリーズスイッチが全押しされたか（＃１０１９）あるいはタイマが一定時間Ｔ［４］1 に達したか（＃１０２０）を判定する。ステップ＃１０１９にてレリーズスイッチが全押しされた場合には、すなわち放熱の待ち時間内に撮影したい場合には、ステップ＃１０２５へ移行する。
【０１０４】
一方、ステップ＃１０１０にて現在の積算値Ｃが予め定められたしきい値Ｃ［３］2 よりも大きいと判定した場合には、同様に現在の積算値Ｃと予め定められたしきい値Ｃ［３］３との比較を行っていき、同様の処理を行う。以下この動作を繰り返し、現在の積算値Ｃが予め定められたしきい値Ｃ［３］n-1 よりも大きく、予め定められたしきい値Ｃ［３］n より小さいと判定した場合には（＃１０１１）、このしきい値Ｃ［３］n-1 に対応した一定時間Ｔ［４］n-1 にてタイマをスタートさせる（＃１０１５）。そして、レリーズスイッチが全押しされたか（＃１０１６）あるいはタイマが一定時間Ｔ［４］n-1 に達したか（＃１０１７）を判定する。ステップ＃１０１６にてレリーズスイッチが全押しされた場合には、すなわち放熱の待ち時間内に撮影したい場合には、ステップ＃１０２５へ移行する。
【０１０５】
上記ステップ＃１０１１にて現在の積算値Ｃが予め定められたしきい値Ｃ［３］n よりも大きいと判定した場合には、このしきい値Ｃ［３］n に対応した一定時間Ｔ［４］n にてタイマをスタートさせる（＃１０１２）。そして、レリーズスイッチが全押しされたか（＃１０１３）、あるいはタイマが一定時間Ｔ［４］n に達したか（＃１０１４）を判定する。ステップ＃１０１３にてレリーズスイッチがオフになった場合には、すなわち放熱の待ち時間内に撮影したい場合には、ステップ＃１０２５へ移行する。
【０１０６】
上記ステップ＃１０１４，＃１０１７，＃１０２０にてレリーズスイッチが押されたまま所定時間が経過した場合にはステップ＃１０２６へ移行してレリーズスイッチがオフされたかを判定し、オフであればこのフローを終了するが、オンであればレリーズスイッチが全押しされたかを判定（＃１０２７）し、全押しされていなければステップ＃１０２６へ戻り、全押しされていればステップ＃１０２１へ移行する。そして、シャッタ開制御等のストロボ発光前までの撮影動作１を実行し（＃１０２１）、所定タイミングでストロボ発光を行い（＃１０２２）、その時の時刻をＰ１に記憶し（＃１０２３）、その後シャッタ制御，デート写し込み，一駒巻き上げ等の撮影動作２を実行する（＃１０２４）。
【０１０７】
上記ステップ＃１０１３，＃１０１６，＃１０１９にてレリーズスイッチが全押しされた場合には、ストロボ撮影からストロボを使用しない通常のＡＥ撮影に切り換え、それに応じてシャッタ制御，一駒巻き上げ等の一連の撮影動作を実行する（＃１０２５）。
【０１０８】
以上の実施の第１０の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合には所定時間待つかＡＥ撮影に切り換えるようにしているので（＃１０１４，＃１０１７，＃１０２０）、ストロボ関連部品の破損，溶解を招くことなく、外部温度もそれほど上昇せず、又外装に変形，変色等を生じることも無い。
【０１０９】
また、ストロボ発光間隔が所定時間Ｔ［５］以上開けば積算値がその時間に応じて減算されるので（＃１００８）、複数枚数以上の連写の場合以外にはこのような状態は起りにくく、かつ時間をおけばストロボ撮影からＡＥ撮影に切り換わる機会も少なくなり、必要以上に撮影者に不快な思いをさせなくても済む事になる。
【０１１０】
（実施の第１１の形態）
次に、本発明の実施の第１１の形態に係るカメラの主要部分の動作について、図１２のフローチャートにしたがって説明する。この実施の第１１の形態では、図９の思想のカメラあるいはストロボ装置において、設定装置２による設定情報によってストロボ連続発光時のレリーズロックをかけたり、警告表示を行ったり、それらの動作を止めたり、撮影者によって自由に選択させるようにしたものである。
【０１１１】
まず制御回路６は、撮影者がレリーズ動作を行ったか否かを不図示のレリーズスイッチ等にて検出する（＃１１０１）。ここで、レリーズ動作が行われたと判定すると、制御回路６は撮影装置８に指令を送り、撮影の為の電圧チェック，露出，ストロボ充電，ピント合わせ等の撮影準備動作を行う（＃１１０２）。この一連の撮影準備動作にて制御回路６はストロボ発光を行う撮影であるかそうでないかの判定を行う（＃１１０３）。ストロボ撮影の場合には、時間測定回路４あるいは全体としてのＣＰＵにて判定した時の現在時刻Ｐ２を読み取り（＃１１０４）、前回のストロボ発光時刻Ｐ１と今回のストロボ発光時刻Ｐ２（ほぼストロボ発光時刻に相当）の差を演算し、ストロボ発光間隔を求める（＃１１０４）。そして、この値を予め定められた所定時間Ｔ［１］と比較し（＃１１０５）、このＴ［１］よりもストロボ発光間隔が短い場合には、積算によって熱が溜まっていくので積算手段５の積算値Ｃに所定値Ｎ［２］を積算する（＃１１０６）。
【０１１２】
その後、現在の積算値Ｃが予め定められたしきい値Ｃ［３］との比較を行う（＃１１０７）。ここで現在の積算値Ｃが予め定められたしきい値Ｃ［３］よりも大きいと判定した場合には、次に設定装置２より設定情報を読み込み（＃１１０８）その設定情報を判定する（＃１１０９）。ここで特定枚数しか撮影されない場合などに警告表示およびレリーズロックを行わないモード１に設定された場合には、ステップ＃１１２５へ移行する。警告表示，レリーズロックとも行うモード２に設定された場合には、ステップ＃１１１０へ移行し、制御回路６はタイマを作動させカウントを開始させる（＃１１１０）とともに、表示装置３に信号を送り、発熱の為にレリーズロックをかけている事を表わすための警告表示を開始させる（＃１１１１）。そして、レリーズスイッチがオフになったか（＃１１１２）あるいはタイマが一定時間Ｔ［４］に達したか（＃１１１３）を判定する。ステップ＃１１１２にてレリーズスイッチがオフになった場合には、すなわち放熱の待ち時間内にレリーズスイッチが離された場合には、その後の動作を行わずに警告表示停止させて終了する。レリーズスイッチが押されたまま所定時間が経過した場合には、再度表示装置３に信号を送り、警告表示を停止させる（＃１１１４）。
【０１１３】
上記ステップ＃１１０９にてレリーズロックはかけずに警告表示のみ行うモード３に設定された場合には、ステップ＃１１１５へ移行し、制御回路６はタイマを作動させ、カウントを開始させる（＃１１１５）と共に、表示装置３に信号を送り、発熱を表わすための警告表示を開始させる（＃１１１６）。そして、レリーズスイッチが全押しになったか（＃１１１７）、あるいはタイマが一定時間Ｔ［４］に達したか（＃１１１８）を判定する。ステップ＃１１１７にてレリーズスイッチが全押しになった場合には、すなわち撮影したい場合には所定時間が経過していなくてもステップ＃１１２４へ移行する。そして、レリーズスイッチが押されたまま所定時間が経過した場合（＃１１１８のＹＥＳ）には、再度表示装置３に信号を送り、警告表示を停止させる（＃１１１９）。
【０１１４】
上記ステップ＃１１１４あるいは＃１１１９の動作が終了後はステップ＃１１２５へ移行してレリーズスイッチがオフされたかを判定し、オフであればこのフローを終了するが、オンであれば次にレリーズスイッチが全押しされたかを判定（＃１１２６）し、全押しされていなければステップ＃１１２５へ戻り、全押しされていればステップ＃１１２０へ移行する。そして、シャッタ開制御等のストロボ発光前までの撮影動作１を実行し（＃１１２０）、ストロボ発光を行った場合には（＃１１２１）、その時の時刻をＰ１に記憶し（＃１１２２）、その後シャッタ制御，デート写し込み，一駒巻き上げ等の撮影動作２を実行する（＃１１２３）。
【０１１５】
上記ステップ＃１１１７にてレリーズスイッチが全押しされた場合には、ストロボ撮影からストロボを使用しない通常のＡＥ撮影に切り換え、それに応じてシャッタ制御，一駒巻き上げ等の一連の撮影動作を実行する（＃１１２４）。
【０１１６】
以上の実施の第１１の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合には所定時間待つかＡＥ撮影に切り換えるようにしているので（＃１１１３，＃１１１８，＃１１２４）、ストロボ関連部品の破損，溶解を招くことなく、外部温度もそれほど上昇せず、又外装に変形，変色等を生じることも無い。
【０１１７】
また、この内容を撮影者が自分で設定できるので（＃１１０８）、より撮影シーンに有った状態で使用する事ができ、緊急な場合にも対応できるので、必要以上に撮影者に不快な思いをさせなくても済む事になる。
【０１１８】
（実施の第１２の形態）
次に、本発明の実施の第１２の形態に係るカメラの主要部分の動作について、図１３のフローチャートにしたがって説明する。この実施の第１２の形態では、ＧNoによってパラメータを変えるようにしたものである。
【０１１９】
この実施の第１２の形態では、図２から図１２までのフローチャートのうち、撮影準備動作の処理ブロック中に下記の処理を追加している。すなわち、制御回路６は撮影装置８に指令を送り、撮影の為の電圧チェック，露出，ストロボ充電，ピント合わせ等の撮影準備動作を行う（＃１２０１）。その後、ストロボＧNo設定・検出回路９によって今回発光予定のＧNoを求める（＃１２０２）。制御回路６はそのＧNoをもとにストロボ発光間隔比較値Ｔ［１］，積算値Ｎ［２］，積算値比較値Ｃ［３］，レリーズロックあるいはストロボ発光禁止時間Ｔ［４］，積算値のリセット時間・減算時間Ｔ［５］，積算値の減算量 n［６］等のパラメータを設定する（＃１２０３）。
【０１２０】
以上の実施の第１２の形態によれば、上記の各形態と同様に、スペース上、ストロボ装置の小型化を妨げる温度計等をＸｅ管やストロボ部品の近辺に直接設置する事無く、ストロボの発光間隔を測定，積算することのみで、発熱量が積算された場合にはレリーズロックあるいは発光禁止，ＡＥ撮影するようにしているので、ストロボ関連部品の破損，溶解を招くことなく、外部温度もそれほど上昇せず、外装も変形，変色等を生じすることが無くなる。
【０１２１】
また、パラメータがＧNoによって木目細かく設定されるので（＃１２０３）、複数枚数以上の連写の場合以外にはこのような状態は起りにくくなるのは勿論、さらにストロボ発光量によりそれらの機会が減ってくるので、さらに必要以上に撮影者に不快な思いをさせなくても済む事になる。
【０１２２】
なお、本発明はこのフローチャートに限定されるものではない。本フローチャートでは、ＧNoによるパラメータの設定を撮影準備動作中に行っているが、これを今回の発光直後に行い、そのパラメータを次回のレリーズの際に使用しても同様の効果を得ることができる。また、本パラメータは、ＧNoが大きくなった場合に、ストロボ発光間隔比較値Ｔ［１］を大きくしたり、積算値Ｎ［２］を大きくしたり、積算値Ｎ［２］はそのままで積算値比較値［３］を小さくしたり、レリーズロックあるいはストロボ発光禁止時間Ｔ［４］を長くしたりしても、同様の効果を得ることができる。
【０１２３】
（実施の第１３の形態）
次に、本発明の実施の第１３の形態に係るカメラの主要部分の動作について、図１４のフローチャートにしたがって説明する。この実施の第１３の形態では、カメラあるいはストロボ装置の電源電圧に応じてパラメータを変えるようにしたものである。
【０１２４】
この実施の第１３の形態では、図２から図１２までのフローチャートのうち、撮影準備動作の処理ブロック中に下記の処理を追加している。すなわち、制御回路６は撮影装置８に指令を送り、撮影の為の電圧チェック，露出，ストロボ充電，ピント合わせ等の撮影準備動作を行う（＃１３０１）。その後、電源電圧検出回路７によって現在の電源電圧（電池の消耗度等）を求める（＃１３０２）。その電源電圧を基に、ストロボ発光間隔比較値Ｔ［１］，積算値Ｎ［２］，積算値比較値Ｃ［３］，レリーズロックあるいはストロボ発光禁止時間Ｔ［４］，積算値のリセット時間・減算時間Ｔ［５］，積算値の減算量 n［６］等のパラメータを設定する（＃１３０３）。
【０１２５】
以上の実施の第１３の形態によれば、上記実施の各形態と同様に、スペース上、ストロボ装置の小型化を妨げる温度計等をＸｅ管やストロボ部品の近辺に直接設置する事無く、ストロボの発光間隔を測定，積算することのみで、発熱量が積算された場合にはレリーズロックあるいは発光禁止，ＡＥ撮影するようにしているので、ストロボ関連部品の破損，溶解を招くことなく、外部温度もそれほど上昇せず、外装も変形，変色等を生じすることが無くなる。
【０１２６】
また、パラメータが電源電圧によって木目細かく設定されるので（＃１３０４）、複数枚数以上の連写の場合以外にはこのような状態は起りにくくなるのは勿論、さらに電源の消耗度合いによるストロボ充電に差がでて発熱量が微妙に変化するのを反映させてそれらの機会を減らすので、さらに必要以上に撮影者に不快な思いをさせなくても済む事になる。
【０１２７】
なお、本パラメータの設定については、電源電圧が低下してきた場合に電池の内部抵抗等が大きくなって大電流が流せなくなる事を反映し、ストロボ発光間隔比較値Ｔ［１］を小さくしたり、積算値Ｎ［２］を小さくしたり、積算値Ｎ［２］はそのままで積算値比較値Ｃ［３］を大きくしたり、レリーズロックあるいはストロボ発光禁止時間Ｔ［４］を短くしたりしても、同様の効果を得ることができる。
【０１２８】
（実施の第１４の形態）
次に、本発明の実施の第１４の形態に係るカメラの主要部分の動作について、図１５のフローチャートにしたがって説明する。この実施の第１４の形態では、カメラあるいはストロボ装置の周囲温度に応じてパラメータを変えるようにしたものである。
【０１２９】
この実施の第１４の形態では、図２から図１２までのフローチャートのうち、撮影準備動作の処理ブロック中に下記の処理を追加している。すなわち、制御回路６は撮影装置８に指令を送り、撮影の為の電圧チェック，露出，ストロボ充電，ピント合わせ等の撮影準備動作を行う（＃１４０１）。その後、温度検出回路１によってカメラあるいはストロボ装置の周囲温度を求める（＃１４０２）。その周囲温度を基に、ストロボ発光間隔比較値Ｔ［１］，積算値Ｎ［２］，積算値比較値Ｃ［３］，レリーズロックあるいはストロボ発光禁止時間Ｔ［４］，積算値のリセット時間・減算時間Ｔ［５］，積算値の減算量 n［６］等のパラメータを設定する（＃１４０３）。
【０１３０】
以上の実施の第１４の形態によれば、上記実施の各形態と同様に、スペース上、ストロボ装置の小型化を妨げる温度計等をＸｅ管やストロボ部品の近辺に直接設置する事無く、ストロボの発光間隔を測定，積算し周囲温度でその補正を行うことのみで、発熱量が積算された場合にはレリーズロックあるいは発光禁止，ＡＥ撮影するようにしているので、ストロボ関連部品の破損，溶解を招くことなく、外部温度もそれほど上昇せず、外装も変形，変色等を生じすることが無くなる。
【０１３１】
また、パラメータが周囲温度によって木目細かく設定されるので（＃１４０３）、複数枚数以上の連写の場合以外にはこのような状態は起りにくくなるのは勿論、さらに周囲温度にて放熱量が微妙に変化するのを反映させてそれらの機会を減らすので、さらに必要以上に撮影者に不快な思いをさせなくても済む事になる。
【０１３２】
なお、本パラメータの設定については、周囲温度が高くなってきた場合に、ストロボ発光間隔比較値Ｔ［１］を大きくしたり、積算値Ｎ［２］を大きくしたり、積算値Ｎ［２］はそのままで積算値比較値Ｃ［３］を小さくしたり、レリーズロックあるいはストロボ発光禁止時間Ｔ［４］を長くしたりしても、同様の効果を得ることができる。
【０１３３】
（実施の第１５の形態）
次に、本発明の実施の第１５の形態に係るカメラシステムの主要部分の動作について、図１６のフローチャートにしたがって説明する。この実施の第１５の形態では、ストロボ装置等において、ストロボ発熱の保護動作中にストロボ発光間隔が所定時間以内の場合にレリーズされると、レリーズロック指示信号をカメラ側に送信するようにしたものである。
【０１３４】
まず制御回路６は、撮影者がレリーズ動作を行ったか否かを、カメラ本体側からの起動信号が送信されたか否か、あるいは撮影者によるストロボ装置側の起動操作がなされたか否かを判定する（＃１５０１）。ここで、カメラ本体側が起動あるいはストロボ装置が起動操作されたと判定すると、制御回路６はカメラ本体側に指令を送り、カメラ本体側の情報／各種パラメータの取得、今回の撮影準備動作の情報の取得を行う（＃１５０２）。このカメラ側からのデータ取得にて制御回路６はストロボ発光を行う撮影であるかそうでないかの判定を行う（＃１５０３）。ストロボ撮影の場合には、時間測定回路４あるいは全体としてのＣＰＵにて判定した時の現在時刻Ｐ２を読み取り（＃１５０４）、前回のストロボ発光時刻Ｐ１と今回のストロボ発光時刻Ｐ２（ほぼストロボ発光時刻に相当）の差を演算しストロボ発光間隔を求める（＃１５０４）。この値をまず予め定められた所定時間Ｔ［１］1 と比較し（＃１５０５）、このＴ［１］1 よりもストロボ発光間隔が短い場合には、積算によって熱が溜まっていくので積算回路５の積算値Ｃに所定値Ｎ［２］1 を積算する（＃１５０６）。
【０１３５】
また、上記ステップ＃１５０５にてＴ［１］1 よりも発光間隔の方が大きい場合には、予め定められた所定時間Ｔ［１］2 と比較し（＃１５０７）、このＴ［１］2 よりもストロボ発光間隔が短い場合には、積算によって熱が溜まっていくので積算回路５の積算値Ｃに所定値Ｎ［２］2 を積算する（＃１５０８）。ステップ＃１５０７にてＴ［１］2 よりも発光間隔の方が大きい場合には、同様の処理を行う。以下この動作を繰り返し、Ｔ［１］n よりもストロボ発光間隔が短い場合（＃１５０９）には、積算によって熱が溜まっていくので積算回路５の積算値Ｃに所定値Ｎ［２］n を積算する（＃１５１０）。ステップ＃１５０９にてＴ［１］n よりも発光間隔の方が大きい場合には、この積算動作は行わない。ここで
Ｔ［１］1 ＜Ｔ［１］2 ＜……＜Ｔ［１］n-1 ＜Ｔ［１］n
の関係が成り立っているとする。
【０１３６】
その後、上記ステップ＃１５０６，＃１５０８，＃１５１０にて演算された、現在の積算値Ｃと予め定められたしきい値Ｃ［３］1 との比較を行う（＃１５１１）。現在の積算値Ｃが予め定められたしきい値Ｃ［３］1 よりも大きいと判定した場合には、次に現在の積算値Ｃと予め定められたしきい値Ｃ［３］2 との比較を行う（＃１５１２）。ここでこの積算値Ｃが予め定められたしきい値Ｃ［３］2 よりも小さい場合には、
Ｃ［３］2 ＞Ｃ＞Ｃ［３］1
であるので、このしきい値Ｃ［３］1 に対応した一定時間Ｔ［４］1 にてタイマをスタートさせる（＃１５２０）。そして、カメラ本体側からレリーズスイッチが全押しされた指令が来るか（＃１５２１）、あるいはタイマが一定時間Ｔ［４］1 に達したか（＃１５２２）を判定する。ステップ＃１５２１にてカメラ本体側からレリーズスイッチが全押しされた指令が来た場合には、すなわち放熱の待ち時間内に撮影したい場合には、ステップ＃１５２６へ移行する。
【０１３７】
一方、ステップ＃１５１２にて現在の積算値Ｃが予め定められたしきい値Ｃ［３］2 よりも大きいと判定した場合には、同様に現在の積算値Ｃと予め定められたしきい値Ｃ［３］３との比較を行っていき、同様の処理を行う。以下この動作を繰り返し、現在の積算値Ｃが予め定められたしきい値Ｃ［３］n-1 よりも大きく予め定められたしきい値Ｃ［３］n より小さいと判定した場合には（＃１５１３）、このしきい値Ｃ［３］n-1 に対応した一定時間Ｔ［４］n-1 にてタイマをスタートさせる（＃１５１７）。そして、カメラ本体側からレリーズスイッチが全押しされた指令が来るか（＃１５１８）、あるいはタイマが一定時間Ｔ［４］n-1 に達したか（＃１５１９）を判定する。ステップ＃１５１８にてカメラ本体側からレリーズスイッチが全押しされた指令が来た場合には、すなわち放熱の待ち時間内に撮影したい場合には、ステップ＃１５２６へ移行する
上記ステップ＃１５１３にて現在の積算値Ｃが予め定められたしきい値Ｃ［３］n よりも大きいと判定した場合には、このしきい値Ｃ［３］n に対応した一定時間Ｔ［４］n にてタイマをスタートさせる（＃１５１４）。そして、カメラ本体側からレリーズスイッチが全押しされた指令が来るか（＃１５１５）、あるいはタイマが一定時間Ｔ［４］n に達したか（＃１５１６）を判定する。ステップ＃１５１５にてカメラ本体側からレリーズスイッチが全押しされた指令が来た場合には、すなわち放熱の待ち時間内に撮影したい場合には、ステップ＃１５２６へ移行する。
【０１３８】
上記ステップ＃１５１６，＃１５１９，＃１５２２にてカメラ本体側からレリーズスイッチが全押しされた指令が来ないまま所定時間が経過した場合には、カメラ本体側からストロボ発光指令を待ち（＃１５２３）、ストロボ発光指令が来たらそのタイミングでストロボ発光され（＃１５２４）、その時の時刻をＰ１に記憶する（＃１５２５）。
【０１３９】
上記ステップ＃１５１５，＃１５１８，＃１５２１にてカメラ本体側からレリーズスイッチが全押しされた指令が来た場合には、カメラ側へレリーズロックを行う指示信号を伝達させる（＃１５２６）。
【０１４０】
以上の実施の第１５の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合には所定時間レリーズロック信号をカメラ側に伝達させるようにしているので（＃１５２６）、ストロボ関連部品の破損，溶解を招くことなく、外部温度もそれほど上昇せず、外装も変形，変色等を生じすることが無くなる。
【０１４１】
また、発光間隔が所定時間Ｔ［１］以上開けばこれらのレリーズロックがかからなくなるので（＃１５１６のＹＥＳ，＃１５１９のＹＥＳ，＃１５２２のＹＥＳ）、複数枚数以上の連写の場合以外にはこのような状態は起りにくく、必要以上に撮影者に不快な思いをさせなくても済む事になる。
【０１４２】
更に、ストロボ発光間隔を測定するのに前回発光した時刻と今回発光する時刻のみを測定するので、その間の動作は消費電流の非常に少ない時計動作のみで済むため、大幅な電力消費を防ぐ事ができる。
【０１４３】
なお、本発明はこのフローチャートに限定されるものではない。発光間隔を測定するのに前回と今回の発光時刻の差を演算したが、これを一連の低消費電力専用タイマを用いても同様の効果を得ることができる。また、フローチャート中の各パラメータＴ［１］，Ｎ［２］，Ｃ［３］，Ｔ［４］等は、制御回路６内の固定値でも、メモリ回路内に外部より書き込まれた値でも同様の効果を得ることができる。
【０１４４】
（実施の第１６の形態）
次に、本発明の実施の第１６の形態に係るカメラシステムの主要部分の動作について、図１７のフローチャートにしたがって説明する。この実施の第１６の形態では、図１６の思想のカメラあるいはストロボ装置において、ストロボ発光間隔が所定時間Ｔ［５］よりも長い場合には積算値をリセットするようにしたものである。
【０１４５】
まず制御回路６は、撮影者がレリーズ動作を行ったか否かを、カメラ本体側からの起動信号が送信されたか否かあるいは撮影者によるストロボ装置側の起動操作がなされたか否かを判定する（＃１６０１）。ここで、カメラ本体側が起動あるいはストロボ装置が起動操作されたと判定すると、制御回路６はカメラ本体側に指令を送り、カメラ本体側の情報／各種パラメータの取得、今回の撮影準備動作の情報の取得を行う（＃１６０２）。このカメラ側からのデータ取得にて制御回路６はストロボ発光を行う撮影であるかそうでないかの判定を行う（＃１６０３）。ストロボ撮影の場合には、時間測定回路４あるいは全体としてのＣＰＵにて判定した時の現在時刻Ｐ２を読み取り（＃１６０４）、前回のストロボ発光時刻Ｐ１と今回のストロボ発光時刻Ｐ２（ほぼストロボ発光時刻に相当）の差を演算しストロボ発光間隔を求める（＃１６０４）。この値を予め定められた所定時間Ｔ［１］とを比較し（＃１６０５）、このＴ［１］よりもストロボ発光間隔が短い場合には、積算によって熱が溜まっていくので積算回路５の積算値Ｃに所定値Ｎ［２］を積算する（＃１６０６）。
【０１４６】
また、上記ステップ＃１６０５にてＴ［１］よりも発光間隔の方が大きい場合には、この積算動作は行わないと共に、ストロボ発光間隔と予め定められた時間Ｔ［５］と比較し（＃１６０７）、このＴ［５］よりもストロボ発光間隔が長い場合には、積算値Ｃをゼロクリアする（＃１６０８）。
【０１４７】
その後、現在の積算値Ｃが予め定められたしきい値Ｃ［３］との比較を行う（＃１６０９）。ここで現在の積算値Ｃが予め定められたしきい値Ｃ［３］よりも大きいと判定した場合には、制御回路はタイマを作動させカウントを開始させる（＃１６１０）と共に、表示装置３に信号を送り、発熱の為にレリーズロックをかけている事を表わすための警告表示を開始させる（＃１６１１）。そして、カメラ本体側からレリーズスイッチが全押しされた指令が来るか（＃１６１２）、あるいはタイマが一定時間Ｔ［４］に達したか（＃１６１３）を判定する。ステップ＃１６１２にてカメラ本体側からレリーズスイッチが全押しされた指令が来た場合には、すなわち放熱の待ち時間内に撮影したい場合には、警告表示停止信号を伝達させた後、ステップ＃１６１８へ移行する。
【０１４８】
上記ステップ＃１６１３にてカメラ本体側からレリーズスイッチが全押しされた指令が来ないまま所定時間が経過した場合には、表示装置３に信号を送り、発熱の為にレリーズロックをかけている事を表わすための警告表示を停止させる（＃１６１４）。カメラ本体側からストロボ発光指令を待ち（＃１６１５）、ストロボ発光指令が来たらそのタイミングでストロボ発光を行い（＃１６１６）、その時の時刻をＰ１に記憶する（＃１６１７）。
【０１４９】
上記ステップ＃１６１２にてカメラ本体側からレリーズスイッチが全押しされた指令が来た場合には、カメラ側へレリーズロックを行う指示信号を伝達させる（＃１６１８）。
【０１５０】
以上の実施の第１６の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合には所定時間レリーズロック信号をカメラ側に伝達させるようにしているので（＃１６１８）、ストロボ関連部品の破損，溶解を招くことなく、外部温度もそれほど上昇せず、外装も変形，変色等を生じすることが無くなる。
【０１５１】
また、ストロボ発光間隔が所定時間Ｔ［５］以上開けば積算値がゼロクリアされるので（＃１６０８）、複数枚数以上の連写の場合以外にはこのような状態は起りにくく、かつ時間をおけばレリーズロック信号をカメラ側に伝達させる機会も少なくなり、必要以上に撮影者に不快な思いをさせなくても済む事になる。
【０１５２】
（実施の第１７の形態）
次に、本発明の実施の第１７の形態に係るカメラの主要部分の動作について、図１８のフローチャートにしたがって説明する。この実施の第１の形態では、図１６の思想のカメラあるいはストロボ装置において、設定装置２による設定情報によってストロボ連続発光時のレリーズロックをかけたり、警告表示を行ったり、それらの動作を止めたり、撮影者によって自由に選択させるようにしたものである。
【０１５３】
まず制御回路６は、撮影者がレリーズ動作を行ったか否かを、カメラ本体側からの起動信号が送信されたか否か、あるいは撮影者によるストロボ装置側の起動操作がなされたか否かを判定する（＃１７０１）。ここで、カメラ本体側が起動あるいはストロボ装置が起動操作されたと判定すると、制御回路６はカメラ本体側に指令を送り、カメラ本体側の情報／各種パラメータの取得・今回の撮影準備動作の情報の取得を行う（＃１７０２）。このカメラ側からのデータ取得にて制御回路６はストロボ発光を行う撮影であるかそうでないかの判定を行う（＃１７０３）。ストロボ撮影の場合には、時間測定回路４あるいは全体としてのＣＰＵにて判定した時の現在時刻Ｐ２を読み取り（＃１７０４）、前回のストロボ発光時刻Ｐ１と今回のストロボ発光時刻Ｐ２（ほぼストロボ発光時刻に相当）の差を演算しストロボ発光間隔を求める（＃１７０４）。この値を予め定められた時間Ｔ［１］と比較し（＃１７０５）、このＴ［１］よりもストロボ発光間隔が短い場合には、積算によって熱が溜まっていくので、積算回路５の積算値Ｃに所定量Ｎ［２］を積算する（＃１７０６）。
【０１５４】
その後、現在の積算値Ｃが予め定められた積算値Ｃ［３］との比較を行う（＃１７０７）。ここで現在の積算値Ｃが予め定められた積算値Ｃ［３］よりも大きいと判定した場合には、次に設定装置２より設定情報を読み込み（＃１７０８）その設定情報を判定する（＃１７０９）。ここで特定枚数しか撮影されない場合などに警告表示およびレリーズロックを行わないモード１に設定された場合には、ステップ＃１７２０へ移行する。警告表示，レリーズロックも行うモード２に設定された場合には、ステップ＃１７１０へ移行し、制御回路６はタイマを作動させ、カウントを開始させる（＃１７１０）と共に、表示装置３に信号を送り、発熱の為にレリーズロックをかけている事を表わすための警告表示を開始させる信号を送信する（＃１７１１）。そして、カメラ本体側からレリーズスイッチが全押しされた指令が来るか（＃１７１２）、あるいはタイマが一定時間Ｔ［４］に達したか（＃１７１３）を判定する。ステップ＃１７１２にてカメラ本体側からレリーズスイッチが全押しされた指令が来た場合には、すなわち放熱の待ち時間内に撮影したい場合には、ステップ＃１７１４へ移行し、再度表示回路３に信号を送り、警告表示を停止させる（＃１７１４）。
【０１５５】
ステップ＃１７０９にてレリーズロックはかけずに警告表示のみ行うモード３に設定された場合には、ステップ＃１７１５へ移行し、制御回路６はタイマを作動させカウントを開始させる（＃１７１５）と共に、表示装置３に信号を送り、発熱を表わすための警告表示を開始させる（＃１７１６）。そして、カメラ本体側からレリーズスイッチが全押しされた指令が来るか（＃１７１７）、あるいはタイマが一定時間Ｔ［４］に達したか（＃１７１８）を判定する。ステップ＃１７１７にてカメラ本体側からレリーズスイッチが全押しされた指令が来た場合には、すなわち放熱の待ち時間内に撮影したい場合には、ステップ＃１７２３へ移行する。そして、レリーズスイッチが押されたまま所定時間経過した場合には、再度表示装置３に信号を送り、警告表示を停止させる（＃１７１９）。
【０１５６】
上記ステップ＃１７０７あるいはステップ＃１７１４，＃１７１９の動作の終了後はステップ＃１７２０へ移行し、カメラ本体側からストロボ発光指令を待ち（＃１７２０）、ストロボ発光指令が来たらそのタイミングでストロボ発光を行い（＃１７２１）、その時の時刻をＰ１に記憶する（＃１７２２）。
【０１５７】
上記ステップ＃１７１７にてカメラ本体側からレリーズスイッチが全押しされた指令が来た場合には、カメラ側へレリーズロックを行う指示信号を伝達させる（＃１７２３）。
【０１５８】
以上の実施の第１７の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合には所定時間レリーズロック信号をカメラ側に伝達させるようにしているので（＃１７２３）、ストロボ関連部品の破損，溶解を招くことなく、外部温度もそれほど上昇せず、又外装に変形，変色等を生じることも無い。
【０１５９】
また、この内容を撮影者が自分で設定できるので（＃１７０８）、より撮影シーンに有った状態で使用する事ができ、緊急な場合にも対応できるので、必要以上に撮影者に不快な思いをさせなくても済む事になる。
【０１６０】
（実施の第１８の形態）
次に、本発明の実施の第１８の形態に係るカメラシステムの主要部分の動作について、図１９のフローチャートにしたがって説明する。この実施の第１８の形態では、ストロボ装置等において、ストロボ発熱の保護動作中にストロボ発光間隔が所定時間以内の場合にレリーズされると、ストロボ発光禁止指示信号をカメラ側に送信するようにしたものである。
【０１６１】
まず制御回路６は、撮影者がレリーズ動作を行ったか否かを、カメラ本体側からの起動信号が送信されたか否か、あるいは撮影者によるストロボ装置側の起動操作がなされたか否かを判定する（＃１８０１）。ここで、カメラ本体側が起動あるいはストロボ装置が起動操作されたと判定すると、制御回路６はカメラ本体側に指令を送り、カメラ本体側の情報／各種パラメータの取得、今回の撮影準備動作の情報の取得を行う（＃１８０２）。このカメラ側からのデータ取得にて制御回路６はストロボ発光を行う撮影であるかそうでないかの判定を行う（＃１８０３）。ストロボ撮影の場合には、時間測定回路４あるいは全体としてのＣＰＵにて判定した時の現在時刻Ｐ２を読み取り（＃１８０４）、前回のストロボ発光時刻Ｐ１と今回のストロボ発光時刻Ｐ２（ほぼストロボ発光時刻に相当）の差を演算しストロボ発光間隔を求める（＃１８０４）。この値をまず予め定められた所定時間Ｔ［１］1 と比較し（＃１８０５）、このＴ［１］1 よりもストロボ発光間隔が短い場合には、積算によって熱が溜まっていくので、積算回路５の積算値Ｃに所定値Ｎ［２］1 を積算する（＃１８０６）。
【０１６２】
上記ステップ＃１８０５にてＴ［１］1 よりも発光間隔の方が大きい場合には、予め定められた所定時間Ｔ［１］2 と比較し（＃１８０７）、このＴ［１］2 よりもストロボ発光間隔が短い場合には、積算によって熱が溜まって行くので積算回路５の積算値Ｃに所定値Ｎ［２］2 を積算する（＃１８０８）。ステップ＃１５０７にてＴ［１］1 よりも発光間隔の方が大きい場合には、同様の処理を行う。以下この動作を繰り返し、Ｔ［１］n よりもストロボ発光間隔が短い場合（＃１８０９）には、積算によって熱が溜まっていくので積算回路５の積算値Ｃに所定値Ｎ［２］n を積算する（＃１８１０）。ステップ＃１８０９にてＴ［１］n よりも発光間隔の方が大きい場合には、この積算動作は行わない。ここで
Ｔ［１］1 ＜Ｔ［１］2 ＜……＜Ｔ［１］n-1 ＜Ｔ［１］n
の関係が成り立っているとする。
【０１６３】
その後，ステップ＃１８０６，＃１８０８，＃１８１０にて演算された、現在の積算値Ｃと予め定められたしきい値Ｃ［３］1 との比較を行う（＃１８１１）。現在の積算値Ｃが予め定められたしきい値Ｃ［３］1 よりも大きいと判定した場合には、次に現在の積算値Ｃと予め定められたしきい値Ｃ［３］2 との比較を行う（＃１８１２）。ここで、この積算値Ｃが予め定められたしきい値Ｃ［３］2 よりも小さい場合には、
Ｃ［３］2 ＞Ｃ＞Ｃ［３］1
であるので、このしきい値Ｃ［３］1 に対応した一定時間Ｔ［４］1 にてタイマをスタートさせる（＃１８２０）。そして、カメラ本体側からレリーズスイッチが全押しされた指令が来るか（＃１８２１）あるいはタイマが一定時間Ｔ［４］1 に達したか（＃１８２２）を判定する。ステップ＃１８２１にてカメラ本体側からレリーズスイッチが全押しされた指令が来た場合には、すなわち放熱の待ち時間内に撮影したい場合には、ステップ＃１８２６へ移行する。
【０１６４】
一方、ステップ＃１８１２にて現在の積算値Ｃが予め定められたしきい値Ｃ［３］2 よりも大きいと判定された場合には、同様に現在の積算値Ｃと予め定められたしきい値Ｃ［３］3 との比較を行い、同様の処理を行う。以下この動作を繰り返し、現在の積算値Ｃが予め定められたしきい値Ｃ［３］n-1 よりも大きく予め定められたしきい値Ｃ［３］n より小さいと判定された場合には（＃１８１３）、このしきい値Ｃ［３］n-1 に対応した一定時間Ｔ［４］n-1 にてタイマをスタートさせる（＃１８１７）。そして、カメラ本体側からレリーズスイッチが全押しされた指令が来るか（＃１８１８）、あるいはタイマが一定時間Ｔ［４］n-1 に達したか（＃１８１９）を判定する。ステップ＃１８１８にてカメラ本体側からレリーズスイッチが全押しされた指令が来た場合には、すなわち放熱の待ち時間内に撮影したい場合には、ステップ＃１８２６へ移行する。
【０１６５】
ステップ＃１８１３にて現在の積算値Ｃが予め定められたしきい値Ｃ［３］n よりも大きいと判定した場合には、このしきい値Ｃ［３］n に対応した一定時間Ｔ［４］n にてタイマをスタートさせる（＃１８１４）。そして、カメラ本体側からレリーズスイッチが全押しされた指令が来るか（＃１８１５）、あるいはタイマが一定時間Ｔ［４］n に達したか（＃１８１６）を判定する。ステップ＃１８１５にてカメラ本体側からレリーズスイッチが全押しされた指令が来た場合には、すなわち放熱の待ち時間内に撮影したい場合には、ステップ＃１８２６へ移行する。
【０１６６】
上記ステップ＃１８１６，＃１８１９，＃１８２２にてカメラ本体側からレリーズスイッチが全押しされた指令が来ないまま所定時間経過した場合には、カメラ本体側からストロボ発光指令を待ち（＃１８２３）、ストロボ発光指令が来たらそのタイミングでストロボ発光され（＃１８２４）、その時の時刻をＰ１に記憶する（＃１８２５）。
【０１６７】
上記ステップ＃１８１５，＃１８１８、＃１８２１にてカメラ本体側からレリーズスイッチが全押しされた指令が来た場合には、カメラ側へストロボ発光禁止指示信号を伝達させる（＃１８２６）。
【０１６８】
以上の実施の第１８の形態によれば、スペース上、ストロボ装置の小型化を妨げる温度計等をＸｅ管やストロボ部品の近辺に直接設置する事無く、ストロボの発光間隔を測定，積算することのみで、発熱量が積算された場合には所定時間ストロボ発光禁止信号をカメラ側に伝達させる事によりカメラ側でレリーズロックあるいはストロボ撮影からＡＥ撮影に切り換えるようにしているので、ストロボ関連部品の破損，溶解を招くことなく、外部温度もそれほど上昇せず、又外装に変形，変色等を生じることも無い。
【０１６９】
また、発光間隔が所定時間Ｔ［１］以上あけばこれらのレリーズロックがかからなくなるので（＃１８１６，＃１８１９，＃１８２２のＹＥＳ）、複数枚数以上の連写の場合以外にはこのような状態は起りにくく、必要以上に撮影者に不快な思いをさせなくても済む事になる。
【０１７０】
更に、ストロボ発光間隔を測定するのに前回発光した時刻と今回発光する時刻のみを測定するので、その間の動作は消費電流の非常に少ない時計動作のみで済むため、大幅な電力消費を防ぐ事ができる。
【０１７１】
（実施の第１９の形態）
次に、本発明の実施の第１９の形態に係るカメラシステムの主要部分の動作について、図２０のフローチャートにしたがって説明する。
【０１７２】
この実施の第１９の形態では、図１６から図１９までのフローチャートのうちカメラ側のデータ取得の処理ブロック中に下記の処理を追加している。すなわち、制御回路６は撮影回路８に指令を送り、撮影の為の電圧チェック，露出，ストロボ充電，ピント合わせ等の撮影準備動作を行う（＃１９０１）。その後、ストロボＧNo設定・検出回路９によって今回発光予定のＧNoを求める（＃１９０２）。制御回路６はそのＧNoを基に、ストロボ発光間隔比較値Ｔ［１］，積算値Ｎ［２］，積算値比較値Ｃ［３］，レリーズロックあるいはストロボ発光禁止時間Ｔ［４］，積算値のリセット時間・減算時間Ｔ［５］，積算値の減算量ｎ［６］等のパラメータを設定する（＃１９０３）。
【０１７３】
以上の実施の第１９の形態によれば、上記実施の第１５の形態等と同様に、スペース上、ストロボ装置の小型化を妨げる温度計等をＸｅ管やストロボ部品の近辺に直接設置する事無く、ストロボの発光間隔を測定，積算することのみで、発熱量が積算された場合にはレリーズロックあるいは発光禁止，ＡＥ撮影するようにしているので、ストロボ関連部品の破損，溶解を招くことなく、外部温度もそれほど上昇せず、又外装に変形，変色等を生じることも無い。
【０１７４】
また、パラメータがＧNoによって木目細かく設定されるので（＃１９０３）、複数枚数以上の連写の場合以外にはこのような状態は起りにくくなるのは勿論、さらにストロボ発光量によりそれらの機会が減ってくるので、さらに必要以上に撮影者に不快な思いをさせなくても済む事になる。
【０１７５】
なお、本発明はこのフローチャートに限定されるものではない。本フローチャートではＧNoによるパラメータの設定をカメラ側のデータ取得中に行っているが、これを今回の発光直後に行い、そのパラメータを次回のレリーズの際に使用しても同様の効果を得ることができる。また、本パラメータは、ＧNoが大きくなった場合に、ストロボ発光時間間隔の対象となる所定時間Ｔ［１］を長くしたり、所定値Ｎ［２］を大きくしたり、所定値Ｎ［２］はそのままで積算値の比較値であるしきい値Ｃ［３］を小さくしたり、レリーズロックあるいはストロボ発光禁止時間である一定時間Ｔ［４］を長くしたりしても、同様の効果を得ることができる。
【０１７６】
（実施の第２０の形態）
次に、本発明の実施の第２０の形態に係るカメラシステムの主要部分の動作について、図２０のフローチャートにしたがって説明する。この実施の第２０の形態では、カメラあるいはストロボ装置の電源電圧に応じてパラメータを変えるようにしたものである。
【０１７７】
この実施の第２０の形態では、図１６から図１９までのフローチャートのうち、カメラ側のデータ取得の処理ブロック中に下記の処理を追加している。すなわち、制御回路６は撮影装置８に指令を送り、撮影の為の電圧チェック，露出，ストロボ充電，ピント合わせ等の撮影準備動作を行う（＃２００１）。その後、電源電圧検出回路７によって現在の電源電圧（電池の消耗度等）を求める（＃２００２）。その電源電圧を基に、ストロボ発光間隔比較値Ｔ［１］，積算値Ｎ［２］，積算値比較値Ｃ［３］，レリーズロックあるいはストロボ発光禁止時間Ｔ［４］，積算値のリセット時間・減算時間Ｔ［５］，積算値の減算量 n［６］等のパラメータを設定する（＃２００３）。
【０１７８】
以上の実施の第２０の形態によれば、上記実施の第１５の形態等と同様に、スペース上、ストロボ装置の小型化を妨げる温度計等をＸｅ管やストロボ部品の近辺に直接設置する事無く、ストロボの発光間隔を測定，積算することのみで、発熱量が積算された場合にはレリーズロックあるいは発光禁止，ＡＥ撮影するようにしているので、ストロボ関連部品の破損，溶解を招くことなく、外部温度もそれほど上昇せず、又外装に変形，変色等を生じることも無い。
【０１７９】
また、パラメータが電源電圧によって木目細かく設定されるので、複数枚数以上の連写の場合以外にはこのような状態は起りにくくなるのは勿論、さらに電源の消耗度合いによるストロボ充電に差がでて発熱量が微妙に変化するのを反映させてそれらの機会を減らすので、さらに必要以上に撮影者に不快な思いをさせなくても済む事になる。
【０１８０】
なお、本パラメータの設定については、電源電圧が低下してきた場合に電池の内部抵抗等が大きくなって大電流が流せなくなる事を反映し、ストロボ発光時間間隔の対象となる所定時間Ｔ［１］を短くしたり、所定値Ｎ［２］を小さくしたり、所定値Ｎ［２］はそのままで積算値の比較値であるしきい値Ｃ［３］を大きくしたり、レリーズロックあるいはストロボ発光禁止時間である一定時間Ｔ［４］を短くしたりしても、同様の効果を得ることができる。
【０１８１】
（実施の第２１の形態）
次に、本発明の実施の第２１の形態に係るカメラシステムの主要部分の動作について、図２２のフローチャートにしたがって説明する。この実施の第２１の形態では、カメラあるいはストロボ装置の周囲温度に応じてパラメータを変えるようにしたものである。
【０１８２】
この実施の第２１の形態では、図１６から図１９までのフローチャートのうち、撮影準備動作の処理ブロック中に下記の処理を追加している。すなわち、制御回路６は撮影装置８に指令を送り、撮影の為の電圧チェック，露出，ストロボ充電，ピント合わせ等の撮影準備動作を行う（＃２１０１）。その後、温度検出回路１によってカメラあるいはストロボ装置の周囲温度を求める（＃２１０２）。その周囲温度を基に、ストロボ発光間隔比較値Ｔ［１］，積算値Ｎ［２］，積算値比較値Ｃ［３］，レリーズロックあるいはストロボ発光禁止時間Ｔ［４］，積算値のリセット時間・減算時間Ｔ［５］，積算値の減算量 n［６］等のパラメータを設定する（＃２１０３）。
【０１８３】
以上の実施の第２１の形態によれば、上記実施の第１５の形態等と同様に、スペース上、ストロボ装置の小型化を妨げる温度計等をＸｅ管やストロボ部品の近辺に直接設置する事無く、ストロボの発光間隔を測定，積算し周囲温度でその補正を行うことのみで、発熱量が積算された場合にはレリーズロックあるいは発光禁止，ＡＥ撮影するようにしているので、ストロボ関連部品の破損，溶解を招くことなく、外部温度もそれほど上昇せず、又外装に変形，変色等を生じることも無い。
【０１８４】
また、パラメータが周囲温度によって木目細かく設定されるので、複数枚数以上の連写の場合以外にはこのような状態は起りにくくなるのは勿論、さらに周囲温度にて放熱量が微妙に変化するのを反映させてそれらの機会を減らすので、さらに必要以上に撮影者に不快な思いをさせなくても済む事になる。
【０１８５】
なお、本パラメータの設定については、周囲温度が高くなってきた場合に、ストロボ発光時間間隔の対象となる所定時間Ｔ［１］を長くしたり、所定値Ｎ［２］を大きくしたり、所定値Ｎ［２］はそのままで積算値の比較値であるしきい値Ｃ［３］を小さくしたり、レリーズロックあるいはストロボ発光禁止時間である一定時間Ｔ［４］を長くしたりしても、同様の効果を得ることができる。
【０１８６】
以上、実施の各形態の動作について説明してきたが、本発明はこれら一つ一つの実施の形態に限定されるものではなく、これらの実施の形態のうち、複数を組合せても（例えば、実施の第２と第３の形態を組み合わせた実施の形態とする等）、同様の効果を得ることができるものである。
【０１８７】
【発明の効果】
以上説明したように、本発明によれば、大型化、高コスト化を招くことなく、電流消費を極力押さえながら、ストロボ発光手段の発熱に起因する、該ストロボ発光手段及びその周辺部材の破損，溶解、さらには外装部材の変形，変色を防止し、かつ、撮影者に必要以上の不快な操作を強いることの無いようにできる。
【図面の簡単な説明】
【図１】本発明の実施の各形態に係るカメラの主要部分の回路構成を示すブロックである。
【図２】本発明の実施の第１の形態に係るカメラの主要部分の動作を示すフローチャートである。
【図３】本発明の実施の第２の形態に係るカメラの主要部分の動作を示すフローチャートである。
【図４】本発明の実施の第３の形態に係るカメラの主要部分の動作を示すフローチャートである。
【図５】本発明の実施の第４の形態に係るカメラの主要部分の動作を示すフローチャートである。
【図６】本発明の実施の第５の形態に係るカメラの主要部分の動作を示すフローチャートである。
【図７】本発明の実施の第６の形態に係るカメラの主要部分の動作を示すフローチャートである。
【図８】本発明の実施の第７の形態に係るカメラの主要部分の動作を示すフローチャートである。
【図９】本発明の実施の第８の形態に係るカメラの主要部分の動作を示すフローチャートである。
【図１０】本発明の実施の第９の形態に係るカメラの主要部分の動作を示すフローチャートである。
【図１１】本発明の実施の第１０の形態に係るカメラの主要部分の動作を示すフローチャートである。
【図１２】本発明の実施の第１１の形態に係るカメラの主要部分の動作を示すフローチャートである。
【図１３】本発明の実施の第１２の形態に係るカメラの主要部分の動作を示すフローチャートである。
【図１４】本発明の実施の第１３の形態に係るカメラの主要部分の動作を示すフローチャートである。
【図１５】本発明の実施の第１４の形態に係るカメラの主要部分の動作を示すフローチャートである。
【図１６】本発明の実施の第１５の形態に係るカメラシステムの主要部分の動作を示すフローチャートである。
【図１７】本発明の実施の第１６の形態に係るカメラシステムの主要部分の動作を示すフローチャートである。
【図１８】本発明の実施の第１７の形態に係るカメラシステムの主要部分の動作を示すフローチャートである。
【図１９】本発明の実施の第１８の形態に係るカメラシステムの主要部分の動作を示すフローチャートである。
【図２０】本発明の実施の第１９の形態に係るカメラシステムの主要部分の動作を示すフローチャートである。
【図２１】本発明の実施の第２０の形態に係るカメラシステムの主要部分の動作を示すフローチャートである。
【図２２】本発明の実施の第２１の形態に係るカメラシステムの主要部分の動作を示すフローチャートである。
【符号の説明】
１      温度検出回路
２      設定装置
３      表示装置
４      時間測定回路
５      積算回路
６      制御回路
７      電源電圧検出回路
８      撮影装置
９      ストロボＧNo設定・検出回路
１０    ストロボ充電回路
１１    ストロボ発光回路
１２    ストロボ発光禁止回路
【図１】
0004481396.tif 000002
【図２】
0004481396.tif 000003
【図３】
0004481396.tif 000004
【図４】
0004481396.tif 000005
【図５】
0004481396.tif 000006
【図６】
0004481396.tif 000007
【図７】
0004481396.tif 000008
【図８】
0004481396.tif 000009
【図９】
0004481396.tif 000010
【図１０】
0004481396.tif 000011
【図１１】
0004481396.tif 000012
【図１２】
0004481396.tif 000013
【図１３】
0004481396.tif 000014
【図１４】
0004481396.tif 000015
【図１５】
0004481396.tif 000016
【図１６】
0004481396.tif 000017
【図１７】
0004481396.tif 000018
【図１８】
0004481396.tif 000019
【図１９】
0004481396.tif 000020
【図２０】
0004481396.tif 000021
【図２１】
0004481396.tif 000022
【図２２】
0004481396.tif 000023